(57)【要約】      （修正有）【課題】薄膜及び境界層の摩擦を改善する潤滑油の提供。【解決手段】主要量の基油及び少量の添加剤パッケージを含んでなる潤滑油であって、前記添加剤パッケージは、オレオイル・ブチルサルコシネート、ラウロイル・エチルサルコシネート、オレオイル２−エチルヘキシル・サルコシネート、オレオイル２−ヒドロキシエチル・サルコシネート、ラウロイル２−ヒドロキシエチル・サルコシネート、Ｎ−オレオイル−Ｎ’−２−エチルヘキシル・サルコシンアミド、Ｎ−オレオイル−Ｎ’−２メトキシエチル・サルコシンアミド、Ｎ−オレオイル−Ｎ’−３ジメチルアミノプロピル・サルコシンアミド、Ｎ−オレオイル−Ｎ’，Ｎ’ビス（２−ヒドロキシエチル）サルコシンアミド、ラウロイル・サルコシンナトリウムなどのアシルＮ−メチルグリシン誘導体から選択される摩擦修正剤成分を含んでなる。【選択図】なし【特許請求の範囲】
【請求項１】
主要量の基油と少量の添加剤パッケージとを含んでなる潤滑油であって、ここで該添加剤パッケージが、
（Ａ）式ＩおよびＩＩ：
【化１】
2014122345.tif 000046
［式中、Ｒは約８〜約２２個の炭素原子をもつ、直線状もしくは分枝状の、飽和、不飽和、または一部飽和ヒドロカルビル基であり、そしてＲ１は約１〜約８個の炭素原子をもつヒドロカルビルまたは、１個以上のヘテロ原子を含むＣ１〜Ｃ８ヒドロカルビル基である］、
【化２】
2014122345.tif 000047
［式中、Ｒは約８〜約２２個の炭素原子をもつ、直線状もしくは分枝状の、飽和、不飽和、または一部飽和ヒドロカルビル基であり、そしてＲ２とＲ３は独立して、水素、Ｃ１〜Ｃ１８ヒドロカルビル基および、１個以上のヘテロ原子を含むＣ１〜Ｃ１８ヒドロカルビル基から選択される］、の１種以上の化合物、
（Ｂ）式ＩＩＩおよびＩＶ：
【化３】
2014122345.tif 000048
［式中、Ｒは約８〜約２２個の炭素原子をもつ、直線状もしくは分枝状の、飽和、不飽和、または一部飽和ヒドロカルビル基であり、そしてＸはアルカリ金属、アルカリ土類金属またはアンモニウムのカチオンであり、そしてｎはカチオンＸの原子価である］、
【化４】
2014122345.tif 000049
［式中、Ｒは約８〜約２２個の炭素原子をもつ、直線状もしくは分枝状の、飽和、不飽和、または一部飽和ヒドロカルビル基である］、
から独立して選択される２種以上の化合物、並びに
（Ｃ）式ＩおよびＩＩの少なくとも１種の化合物と組み合わせた、式ＩＩＩおよびＩＶの少なくとも１種の化合物、から選択される１種以上の摩擦修正剤成分、
を含んでなる、潤滑油。
【請求項２】
１種以上の摩擦修正剤成分が、式Ｉのエステルである、請求項１の潤滑油。
【請求項３】
１種以上の摩擦修正剤成分が、式ＩＩのアミドである、請求項１の潤滑油。
【請求項４】
摩擦修正剤成分が少なくとも１種の、式ＩＩＩの塩を含んでなる、請求項１の潤滑油。
【請求項５】
添加剤パッケージが式Ｉ〜ＩＶから独立して選択される少なくとも２種の異なる化合物を含んでなる、請求項１の潤滑油。
【請求項６】
Ｒ１が約１〜約８個の炭素原子をもつヒドロカルビル基である、請求項２の潤滑油。
【請求項７】
Ｒ１が、１個以上のヘテロ原子を含むＣ１〜Ｃ８ヒドロカルビル基を含むヒドロカルビル基である、請求項２の潤滑油。
【請求項８】
Ｒ２とＲ３が独立して、水素、Ｃ１〜Ｃ１８ヒドロカルビル基および、１個以上のヘテロ原子を含むＣ１〜Ｃ１８ヒドロカルビル基、から選択される、請求項３の潤滑油。
【請求項９】
１種以上の、式ＩＩＩの摩擦修正剤成分が、ナトリウム、リチウム、カリウム、カルシウム、マグネシウムおよびアンモニウムのカチオンから選択される１個以上のカチオンの塩である、請求項４の潤滑油。
【請求項１０】
主要量の基油と少量の添加剤パッケージとを含んでなる潤滑油であって、ここで該添加剤パッケージが、
式ＩＶ：
【化５】
2014122345.tif 000050
［式中、Ｒは約８〜約２２個の炭素原子をもつ、直線状もしくは分枝状の、飽和、不飽和、または一部飽和ヒドロカルビル基である］の１種以上の化合物と、
式Ｖ：
【化６】
2014122345.tif 000051
［式中、Ｒ２、Ｒ３およびＲ４は独立して、水素、Ｃ１〜Ｃ１８ヒドロカルビル基および、Ｃ１〜Ｃ１８ヒドロカルビル基と１個以上のヘテロ原子を含む炭化水素、から選択される］の１種以上のアミンとの、
１種以上のアミド反応生成物を含んでなる、潤滑油。
【請求項１１】
Ｒ２、Ｒ３およびＲ４が独立して、水素、Ｃ３〜Ｃ１２ヒドロカルビル基および、Ｃ３〜Ｃ１２ヒドロカルビル基と１個以上のヘテロ原子を含む炭化水素、から選択される、請求項１０の潤滑油。
【請求項１２】
主要量の基油と少量の添加剤パッケージとを含んでなる潤滑油であって、ここで該添加剤パッケージが、式ＩＶ：
【化７】
2014122345.tif 000052
［式中、Ｒは約８〜約２２個の炭素原子をもつ、直線状もしくは分枝状の、飽和、不飽和、または一部飽和ヒドロカルビル基である］の１種以上の化合物と、
１種以上のアルコールとの、１種以上の反応生成物を含んでなる、潤滑油。
【請求項１３】
１種以上のアルコールが約１〜約８個の炭素原子をもつヒドロカルビル基を含む、請求項１２の潤滑油。
【請求項１４】
１種以上のアルコールが約１〜約８個の炭素原子および１個以上のヘテロ原子をもつヒドロカルビル基を含む、請求項１２の潤滑油。
【請求項１５】
主要量の基油と少量の添加剤パッケージとを含んでなる潤滑油であって、ここで該添加剤パッケージが、式ＩＶ：
【化８】
2014122345.tif 000053
［式中、Ｒは約８〜約２２個の炭素原子をもつ、直線状もしくは分枝状の、飽和、不飽和、または一部飽和ヒドロカルビル基である］の１種以上の化合物と、
１種以上のアミンアルコールとの、
１種以上の反応生成物を含んでなる、潤滑油。
【請求項１６】
アミンアルコールがエタノールアミン、ジエタノールアミン、アミノエチルエタノール
アミン、トリス−ヒドロキシメチルアミノ−メタン（ＴＨＡＭ）およびそれらの混合物から選択される、請求項１５に請求される通りの潤滑油。
【請求項１７】
主要量の基油と少量の添加剤パッケージとを含んでなる潤滑油組成物であって、ここで該添加剤パッケージが、
（Ａ）式ＩＶ：
【化９】
2014122345.tif 000054
［式中、Ｒは約８〜約２２個の炭素原子をもつ、直線状もしくは分枝状の、飽和、不飽和、または一部飽和ヒドロカルビル基である］の１種以上の化合物と、
１種以上の、アルカリ金属の水酸化物およびアルカリ土類金属の水酸化物、アルカリ金属の酸化物、アルカリ土類金属の水酸化物、アンモニアまたはアミン、
との塩反応生成物、および
（Ｂ）前記の１種以上の成分（Ａ）の化合物と異なる、式Ｉ〜ＩＶ：
【化１０】
2014122345.tif 000055
［式中、Ｒは約８〜約２２個の炭素原子をもつ、直線状もしくは分枝状の、飽和、不飽和、または一部飽和ヒドロカルビル基であり、そしてＲ１は約１〜約８個の炭素原子をもつヒドロカルビルまたは、１個以上のヘテロ原子を含むＣ１〜Ｃ８ヒドロカルビル基である］、
【化１１】
2014122345.tif 000056
［式中、Ｒは約８〜約２２個の炭素原子をもつ、直線状もしくは分枝状の、飽和、不飽和、または一部飽和ヒドロカルビル基であり、そしてＲ２とＲ３は独立して、水素、Ｃ１〜Ｃ１８ヒドロカルビル基および、１個以上のヘテロ原子を含むＣ１〜Ｃ１８ヒドロカルビル基から選択される］、
【化１２】
2014122345.tif 000057
［式中、Ｒは約８〜約２２個の炭素原子をもつ、直線状もしくは分枝状の、飽和、不飽和、または一部飽和ヒドロカルビル基であり、そしてＸはアルカリ金属、アルカリ土類金属またはアンモニウムのカチオンであり、そしてｎはカチオンＸの原子価である］、および
【化１３】
2014122345.tif 000058
［式中、Ｒは約８〜約２２個の炭素原子をもつ、直線状もしくは分枝状の、飽和、不飽和、または一部飽和ヒドロカルビル基である］、
のうちの少なくとも１種の化合物、
を含んでなる、潤滑油組成物。
【請求項１８】
主要量の基油と少量の添加剤パッケージとを含んでなる潤滑油組成物であって、ここで該添加剤パッケージが、
（Ａ）式ＩＶ：
【化１４】
2014122345.tif 000059
［式中、Ｒは約８〜約２２個の炭素原子をもつ、直線状もしくは分枝状の、飽和、不飽和、または一部飽和ヒドロカルビル基である］の１種以上の化合物、並びに
（Ｂ）前記の１種以上の成分（Ａ）の化合物と異なる、式Ｉ〜ＩＶ：
【化１５】
2014122345.tif 000060
［式中、Ｒは約８〜約２２個の炭素原子をもつ、直線状もしくは分枝状の、飽和、不飽和、または一部飽和ヒドロカルビル基であり、そしてＲ１は約１〜約８個の炭素原子をもつ
ヒドロカルビルまたは、１個以上のヘテロ原子を含むＣ１〜Ｃ８ヒドロカルビル基である］、
【化１６】
2014122345.tif 000061
［式中、Ｒは約８〜約２２個の炭素原子をもつ、直線状もしくは分枝状の、飽和、不飽和、または一部飽和ヒドロカルビル基であり、そしてＲ２とＲ３は独立して、水素、Ｃ１〜Ｃ１８ヒドロカルビル基および、１個以上のヘテロ原子を含むＣ１〜Ｃ１８ヒドロカルビル基から選択される］、
【化１７】
2014122345.tif 000062
［式中、Ｒは約８〜約２２個の炭素原子をもつ、直線状もしくは分枝状の、飽和、不飽和、または一部飽和ヒドロカルビル基であり、そしてＸはアルカリ金属、アルカリ土類金属またはアンモニウムのカチオンであり、そしてｎはカチオンＸの原子価である］、並びに
【化１８】
2014122345.tif 000063
［式中、Ｒは約８〜約２２個の炭素原子をもつ、直線状もしくは分枝状の、飽和、不飽和、または一部飽和ヒドロカルビル基である］、
の少なくとも１種の化合物、を含んでなる、潤滑油組成物。
【請求項１９】
Ｒが約１０〜約２０個の炭素原子を有する、請求項１〜１８のいずれか１項の潤滑油。
【請求項２０】
Ｒが約１２〜約１８個の炭素原子を有する、請求項１〜１８のいずれか１項の潤滑油。
【請求項２１】
潤滑油がエンジンオイル組成物である、請求項１〜２０のいずれか１項の潤滑油。
【請求項２２】
主要量の基油と少量の添加剤パッケージとを含んでなるエンジンオイル組成物であって、ここで該添加剤パッケージが、式ＩＶ：
【化１９】
2014122345.tif 000064
［式中、Ｒは約８〜約２２個の炭素原子をもつ、直線状もしくは分枝状の、飽和、不飽和、または一部飽和ヒドロカルビル基である］の１種以上の化合物と、
１種以上の、アルカリ金属の水酸化物、およびアルカリ土類金属の水酸化物、アルカリ金属の酸化物、アルカリ土類金属の水酸化物、アンモニアまたはアミン、
との１種以上の塩である反応生成物を含んでなる、エンジンオイル組成物。
【請求項２３】
添加剤パッケージが更に、抗酸化剤、消泡剤、モリブデン含有成分、チタン含有化合物、リン含有化合物、粘度指数向上剤、流動点降下剤および希釈油よりなる群から選択される少なくとも１種の添加剤を含んでなる、請求項１〜２０のいずれか１項の潤滑油または請求項２１〜２２のいずれか１項のエンジンオイル。
【請求項２４】
請求項１〜２０のいずれか１項に請求されるような潤滑油、または請求項２１〜２２のいずれか１項に請求されるようなエンジンオイルを使用してエンジンを潤滑する工程を含んでなる、エンジン内の薄膜および境界層の摩擦を改善する方法。
【請求項２５】
改善される薄膜および境界層の摩擦が、１種以上の摩擦修正剤成分の不存在下における同一組成物に関連して決定される、請求項２４に請求されるような方法。
【請求項２６】
請求項１〜２０のいずれか１項に請求されるような潤滑油、または請求項２１〜２２のいずれか１項に請求されるようなエンジンオイルを使用して、エンジンを潤滑する工程を含んでなる、エンジン内の境界層の摩擦を改善する方法。
【請求項２７】
改善される境界層の摩擦が、１種以上の摩擦修正剤成分の不存在下における同一組成物に関連して決定される、請求項２６に請求されるような方法。
【請求項２８】
請求項１〜２０のいずれか１項に請求されるような潤滑油、または請求項２１〜２２のいずれか１項に請求されるようなエンジンオイルを使用して、エンジンを潤滑する工程を含んでなる、エンジン内の薄膜の摩擦を改善する方法。
【請求項２９】
改善される薄膜の摩擦が、１種以上の摩擦修正剤成分の不存在下における同一組成物に関連して決定される、請求項２８に請求されるような方法。
【発明の詳細な説明】
【技術分野】
【０００１】
本開示は、アシルＮ−メチルグリシン誘導体を含む、エンジンオイルのような潤滑油組成物に関する。それは、例えば薄膜の摩擦および境界層の摩擦の一方または両方を低下させるための摩擦修正剤として、アシルＮ−メチルグリシン誘導体を含む潤滑油組成物に関する。
【背景技術】
【０００２】
潤滑油組成物は、エンジンのような機械の円滑な操作の確保に重要な役割を果たす。これらの組成物は、例えばピストンリング／シリンダー・ライナー、クランクシャフトおよび連接棒の軸受け、カムおよび弁リフターを含む弁機構、等を含むエンジン内の様々な滑動する部品（ｓｌｉｄｉｎｇ  ｐａｒｔｓ）を潤滑することができる。潤滑油組成物はまた、エンジンの内部を冷却しそして燃焼産物を分散させる工程に役割を果たすことができる。潤滑油組成物の更なる可能な機能は、錆および腐食を防止または低減する機能を含むことができる。
【０００３】
エンジンオイル、ギアオイル、トラクターオイル、多機能オイル、等を含む幾つかの潤滑組成物のクラスが存在する。各タイプの潤滑組成物は、それが使用される特定の適用に対して特別の性質を必要とする可能性がある。
【０００４】
エンジンオイルの主要な考慮すべき問題は、エンジン内の部品の摩耗と焼き付きを防止することである。潤滑されるエンジンの部品は大部分、完全潤滑または完全流体潤滑の状態で作動するが、弁系統、およびピストン／シリンダーライナーの接触区域の頂上と底部の真ん中は、薄膜潤滑（弾性完全潤滑（ｅｌａｓｔｏｈｙｄｒｏｄｙｎａｍｉｃ  ｌｕｂｒｉｃａｔｉｏｎ））および／または境界潤滑の状態にあるようである。エンジン内におけるこれらの部品間の摩擦は重大なエネルギーロスをもたらし、それにより燃料効率を低下させる可能性がある。摩擦エネルギーのロスを低減させるために、エンジンオイル中に、多数のタイプの摩擦修正剤（ｆｒｉｃｔｉｏｎ  ｍｏｄｉｆｉｅｒｓ）が使用されてきた。
【０００５】
運動している部品間の摩擦が低減されると、改善された燃料効率を達成することができる。薄膜の摩擦は、２枚の表面間の距離が非常に小さい時に、２枚の表面間で運動する潤滑剤のような流動体により形成される摩擦である。幾つかの添加剤は、薄膜の摩擦に対して効果をもつことができる、異なる厚さの膜を形成することが知られている。亜鉛ジアルキル・ジチオホスフェート（ＺＤＤＰ）のような、通常エンジンオイル中に存在する幾つかの添加剤は、薄膜の摩擦を増加することが知られている。このような添加剤は、エンジンの部品を保護するためのような他の理由のために要求されるかも知れないが、このような添加剤により引起される薄膜の摩擦の増加は運転効率を低下する可能性がある。
【０００６】
エンジン内の境界層の摩擦を減少する方法はまた、燃料効率を高めることができる。エンジン内の接触している面の運動は、境界層の摩擦により遅らされる可能性がある。非窒素含有、窒素含有およびモリブデン含有の摩擦修正剤が時々、境界層の摩擦を低減するために使用される。
【０００７】
近年、燃料効率を改善するために、より低い摩擦をもつエンジンオイルを提供するような、より高いエネルギー効率を提供する、より低い摩擦の潤滑油を使用する要望が増加してきた。本開示は、薄膜の摩擦および境界層の摩擦の一方または両方を低下することがで
きる改善された潤滑油組成物を提供する。本開示は、薄膜の摩擦および境界層の摩擦の一方または両方を低下するための摩擦修正剤として、アシルＮ−メチルグリシン誘導体を含む潤滑油組成物に関する。
【０００８】
特許文献１は、式：
【０００９】
【化１】
2014122345.tif 000002
【００１０】
［式中、ＲはＣ８−１８−アルキルまたはアルケニル基を表す］の化合物、
式：
【００１１】
【化２】
2014122345.tif 000003
【００１２】
［式中、ｘは４〜４６の整数である］のジカルボン酸、および
式：
【００１３】
【化３】
2014122345.tif 000004
【００１４】
［式中、Ｒ１、Ｒ２およびＲ３は独立して、水素、１４個までの炭素原子をもつヒドロカルビル、ヒドロキシアルキル、シクロアルキルまたはポリアルキレンオキシ基から選択される］のアミン、
を含む３成分の錆防止剤パッケージよりなる、錆防止組成物を開示している（特許文献１参照。）該錆防止剤パッケージはグリース中への使用に有益であると記載されており、自動車およびその他の産業における使用のための錆防止組成物中にオイルおよびワックスとともに配合されることができる。
【００１５】
特許文献２は、特定のタイプの多機能オイルのための、様々な、異なる錆防止化合物の使用を開示している（特許文献２参照。）該明細書には、そのＲおよびＲ１が定義されていない、式：
【００１６】
【化４】
2014122345.tif 000005
【００１７】
の化合物を使用する可能性が短く言及されている。該出願書には、使用されるべき量に関する更なる詳細も与えられず、またはこのような化合物を含むどんな特定の配合物も例示されていない。
【００１８】
特許文献３は、多機能潤滑剤を開示しており、オレイルサルコシンを含むウェットブレーキ配合物の一例を含む（特許文献３参照）。例示された組成物はまた、塩基性スルホン酸カルシウム清浄剤（ＴＢＮ＝３００）、Ｐ２Ｓ５−ポリブテンバリウムフェナート／スルホネート清浄剤、Ｍｗ＝９００  ＰＩＢ基をもつポリブテニル琥珀酸無水物とテトラエチレン・ペントアミンとの反応生成物である分散剤、亜鉛ジヘキシル・ジチオホスフェート、ジオレイルホスファイト、スパームオイルおよび硫化ポリブテンを含む。
【先行技術文献】
【特許文献】
【００１９】
【特許文献１】米国特許第５，５９９，７７９号明細書
【特許文献２】国際公開出願第２００９／１４０１０８号パンフレット
【特許文献３】ドイツ特許第１２３５８９６号明細書
【発明の概要】
【００２０】
要約
一つの態様においては、本開示は、主要量の基油と少量の添加剤パッケージとを含んでなる潤滑油組成物を提供し、ここで、添加剤パッケージが、
（Ａ）式ＩおよびＩＩ：
【００２１】
【化５】
2014122345.tif 000006
【００２２】
［式中、Ｒは約８〜約２２個の炭素原子をもつ、直線状もしくは分枝状の、飽和、不飽和、または一部飽和ヒドロカルビル基であり、そしてＲ１は約１〜約８個の炭素原子をもつヒドロカルビル基または、１個以上のヘテロ原子を含むＣ１〜Ｃ８ヒドロカルビル基である］、
【００２３】
【化６】
2014122345.tif 000007
【００２４】
［式中、Ｒは約８〜約２２個の炭素原子をもつ、直線状もしくは分枝状の、飽和、不飽和、または一部飽和ヒドロカルビル基であり、そしてＲ２とＲ３は独立して、水素、Ｃ１〜Ｃ１８ヒドロカルビル基および、１個以上のヘテロ原子を含むＣ１〜Ｃ１８ヒドロカルビル基から選択される］、の１種以上の化合物、
（Ｂ）式ＩＩＩおよびＩＶ：
【００２５】
【化７】
2014122345.tif 000008
【００２６】
［式中、Ｒは約８〜約２２個の炭素原子をもつ、直線状もしくは分枝状の、飽和、不飽和、または一部飽和ヒドロカルビル基であり、そしてＸはアルカリ金属、アルカリ土類金属またはアンモニウムのカチオンであり、そしてｎはカチオンＸの原子価である］、
【００２７】
【化８】
2014122345.tif 000009
【００２８】
［式中、Ｒは約８〜約２２個の炭素原子をもつ、直線状もしくは分枝状の、飽和、不飽和、または一部飽和ヒドロカルビル基である］、
から独立して選択される少なくとも２種の化合物、並びに
（Ｃ）式ＩおよびＩＩの少なくとも１種の化合物と組み合わせた、式ＩＩＩおよびＩＶの少なくとも１種の化合物、
から選択される１種以上の摩擦修正剤成分、
を含んでなる。
【００２９】
式Ｉの１種以上の摩擦修正剤はエステルであることができる。
【００３０】
式ＩＩの１種以上の摩擦修正剤はアミドであることができる。
【００３１】
摩擦修正剤は式ＩＩＩの少なくとも１種の塩を含んでなることができる。
【００３２】
添加剤パッケージは式Ｉ〜ＩＶから独立して選択される少なくとも２種の異なる摩擦修正剤を含んでなることができる。
【００３３】
Ｒは約１０〜約２０個の炭素原子をもつことができる。あるいはまた、Ｒは約１２〜約１８個の炭素原子をもつことができる。
【００３４】
Ｒ１は約１〜約８個の炭素原子をもつヒドロカルビル基であることができる。あるいはまた、Ｒ１は、１個以上のヘテロ原子を含むＣ１〜Ｃ８ヒドロカルビル基を含む、ヒドロカルビル基であることができる。
【００３５】
Ｒ２とＲ３は、独立して、水素、Ｃ１〜Ｃ１８ヒドロカルビル基および、１個以上のヘテロ原子を含むＣ１〜Ｃ１８ヒドロカルビル基、から選択されることができる。あるいはまた、Ｒ２とＲ３は独立して、水素およびＣ４〜Ｃ８ヒドロカルビル基から選択される。
【００３６】
式ＩＩＩの１種以上の摩擦修正剤は、ナトリウム、リチウム、カリウム、カルシウム、マグネシウムおよびアンモニウムカチオンから選択される１個以上のカチオンの塩であることができる。
【００３７】
前述の潤滑油組成物はエンジンオイルを含んでなることができる。
【００３８】
他の態様においては、本開示は、主要量の基油と少量の添加剤パッケージとを含んでなる潤滑油組成物を提供し、ここで、その添加剤パッケージが、
式ＩＶ：
【００３９】
【化９】
2014122345.tif 000010
【００４０】
［式中、Ｒは約８〜約２２個の炭素原子をもつ、直線状もしくは分枝状の、飽和、不飽和、または一部飽和ヒドロカルビル基であり、そして酸基上のヒドロキシル基は、所望される場合は、反応の前に適切な離脱基により置換されてもよい］の１種以上の化合物と、
式Ｖ：
【００４１】
【化１０】
2014122345.tif 000011
【００４２】
［式中、Ｒ２、Ｒ３およびＲ４は独立して、水素、Ｃ１〜Ｃ１８ヒドロカルビル基および、１個以上のヘテロ原子を含むＣ１〜Ｃ１８ヒドロカルビル基から選択される］の１種以
上のアミン、
との１種以上の反応生成物、を含んでなる。
【００４３】
Ｒは約１０〜約２０個の炭素原子をもつことができる。Ｒ２、Ｒ３およびＲ４は独立して、水素、Ｃ３〜Ｃ１２ヒドロカルビル基並びに、Ｃ３〜Ｃ１２ヒドロカルビル基および１個以上のヘテロ原子含有炭化水素、から選択されることができる。
【００４４】
前述の潤滑油組成物はエンジンオイルを含んでなることができる。
【００４５】
更にその他の態様においては、本開示はまた、主要量の基油と少量の添加剤パッケージとを含んでなる潤滑油組成物を提供し、ここで該添加剤パッケージが、
式ＩＶ：
【００４６】
【化１１】
2014122345.tif 000012
【００４７】
［式中、Ｒは約８〜約２２個の炭素原子をもつ、直線状もしくは分枝状の、飽和、不飽和、または一部飽和ヒドロカルビル基である］の１種以上の化合物との、１種以上のアルコールの１種以上の反応生成物を含んでなる。ヒドロキシル基は、所望される場合は、アルコールとの反応の前に、適切な離脱基により置換されてもよい。アルコールはＲ１−ＯＨにより表されることができ、そのＲ１はヒドロカルビル基または、１個以上のヘテロ原子を含むＣ１〜Ｃ８ヒドロカルビル基を含んでなる。
【００４８】
Ｒは約１０〜約２０個の炭素原子をもつヒドロカルビル基であることができる。
【００４９】
アルコールは約１〜約８個の炭素原子をもつヒドロカルビル基を含むことができる。あるいはまた、アルコールは、約１〜約８個の炭素原子および１個以上のヘテロ原子をもつヒドロカルビル基を含む。
【００５０】
前述の潤滑油組成物はエンジンオイルを含んでなることができる。
【００５１】
本開示はまた、主要量の基油と少量の添加剤パッケージとを含んでなる潤滑油組成物を提供し、ここで該添加剤パッケージが、
式ＩＶ：
【００５２】
【化１２】
2014122345.tif 000013
【００５３】
［式中、Ｒは約８〜約２２個の炭素原子をもつ、直線状もしくは分枝状の、飽和、不飽和、または一部飽和ヒドロカルビル基である］の１種以上の化合物と、アルカリ金属もしくはアルカリ土類金属の水酸化物、アルカリ金属もしくはアルカリ土類金属の酸化物、アンモニア、アミンまたはそれらの混合物、との反応生成物である１種以上の塩を含んでなる。
【００５４】
本開示はまた、主要量の基油と少量の添加剤パッケージとを含んでなる潤滑油を提供し、ここで該添加剤パッケージが、
式ＩＶ：
【００５５】
【化１３】
2014122345.tif 000014
【００５６】
［式中、Ｒは約８〜約２２個の炭素原子をもつ、直線状もしくは分枝状の、飽和、不飽和、または一部飽和ヒドロカルビル基である］の１種以上の化合物と、１種以上のアミンアルコール、との１種以上の反応生成物を含んでなる。
【００５７】
アミンアルコールは、エタノールアミン、ジエタノールアミン、アミノエチル・エタノールアミン、トリス−ヒドロキシメチル・アミノ−メタン（ＴＨＡＭ）およびそれらの混合物から選択されることができる。
【００５８】
本開示はまた、主要量の基油と少量の添加剤パッケージとを含んでなる潤滑油組成物を提供し、ここで該添加剤パッケージが、式ＩＶ：
【００５９】
【化１４】
2014122345.tif 000015
【００６０】
［式中、Ｒは約８〜約２２個の炭素原子をもつ、直線状もしくは分枝状の、飽和、不飽和、または一部飽和ヒドロカルビル基である］の１種以上の化合物と、
１種以上の、アルカリ金属の水酸化物、アルカリ土類金属の水酸化物、アルカリ金属の酸化物、アルカリ土類金属の水酸化物、アンモニアまたはアミン、
との塩である反応生成物、並びに
（Ｂ）成分（Ａ）の１種以上の化合物と異なる、式Ｉ〜ＩＶ：
【００６１】
【化１５】
2014122345.tif 000016
【００６２】
［式中、Ｒは約８〜約２２個の炭素原子をもつ、直線状もしくは分枝状の、飽和、不飽和、または一部飽和ヒドロカルビル基であり、そしてＲ１は約１〜約８個の炭素原子をもつヒドロカルビルまたは、１個以上のヘテロ原子を含むＣ１〜Ｃ８ヒドロカルビル基である］、
【００６３】
【化１６】
2014122345.tif 000017
【００６４】
［式中、Ｒは約８〜約２２個の炭素原子をもつ、直線状もしくは分枝状の、飽和、不飽和、または一部飽和ヒドロカルビル基であり、そしてＲ２とＲ３は独立して、水素、Ｃ１〜Ｃ１８ヒドロカルビル基および、１個以上のヘテロ原子を含むＣ１〜Ｃ１８ヒドロカルビル基から選択される］、
【００６５】
【化１７】
2014122345.tif 000018
【００６６】
［式中、Ｒは約８〜約２２個の炭素原子をもつ、直線状もしくは分枝状の、飽和、不飽和、または一部飽和ヒドロカルビル基であり、そしてＸはアルカリ金属、アルカリ土類金属またはアンモニウムのカチオンであり、そしてｎはカチオンＸの原子価である］および
【００６７】
【化１８】
2014122345.tif 000019
【００６８】
［式中、Ｒは約８〜約２２個の炭素原子をもつ、直線状もしくは分枝状の、飽和、不飽和、または一部飽和ヒドロカルビル基である］、
のうちの少なくとも１種の化合物、
を含んでなる。
【００６９】
更にその他の態様においては、本開示は、主要量の基油と少量の添加剤パッケージとを含んでなる潤滑油組成物を提供し、ここで該添加剤パッケージが、
（Ａ）式ＩＶ：
【００７０】
【化１９】
2014122345.tif 000020
【００７１】
［式中、Ｒは約８〜約２２個の炭素原子をもつ、直線状もしくは分枝状の、飽和、不飽和、または一部飽和ヒドロカルビル基である］の１種以上の化合物、および
（Ｂ）成分（Ａ）の１種以上の化合物と異なる、式Ｉ〜ＩＶ：
【００７２】
【化２０】
2014122345.tif 000021
【００７３】
［式中、Ｒは約８〜約２２個の炭素原子をもつ、直線状もしくは分枝状の、飽和、不飽和、または一部飽和ヒドロカルビル基であり、そしてＲ１は約１〜約８個の炭素原子をもつヒドロカルビルまたは、１個以上のヘテロ原子を含むＣ１〜Ｃ８ヒドロカルビル基である］、
【００７４】
【化２１】
2014122345.tif 000022
【００７５】
［式中、Ｒは約８〜約２２個の炭素原子をもつ、直線状もしくは分枝状の、飽和、不飽和、または一部飽和ヒドロカルビル基であり、そしてＲ２とＲ３は独立して、水素、Ｃ１〜Ｃ１８ヒドロカルビル基および、１個以上のヘテロ原子を含むＣ１〜Ｃ１８ヒドロカルビル基から選択される］、
【００７６】
【化２２】
2014122345.tif 000023
【００７７】
［式中、Ｒは約８〜約２２個の炭素原子をもつ、直線状もしくは分枝状の、飽和、不飽和、または一部飽和ヒドロカルビル基であり、そしてＸはアルカリ金属、アルカリ土類金属またはアンモニウムのカチオンであり、そしてｎはカチオンＸの原子価である］、および
【００７８】
【化２３】
2014122345.tif 000024
【００７９】
［式中、Ｒは約８〜約２２個の炭素原子をもつ、直線状もしくは分枝状の、飽和、不飽和、または一部飽和ヒドロカルビル基である］、
の少なくとも１種の化合物、を含んでなる。
【００８０】
添加剤パッケージは更に、抗酸化剤、消泡剤、モリブデン含有成分、チタン含有化合物、リン含有化合物、粘度指数向上剤、流動点降下剤および希釈油よりなる群から選択される少なくとも１種の添加剤を含んでなることができる。
【００８１】
本開示は、本明細書に開示されるような潤滑油組成物を使用して表面を潤滑する工程を含んでなる、相互に対して運動している、接触している表面間の薄膜および境界層の摩擦を改善する方法を提供する。幾つかの実施形態においては、その表面は、エンジンの接触面である。
【００８２】
改善される薄膜および境界層の摩擦は、本明細書に記載の通りの１種以上の摩擦修正剤の不在下における同一組成物に関連して決定されることができる。
【００８３】
更にその他の態様においては、本開示は、本明細書に開示される通りの潤滑油組成物を使用して表面を潤滑する工程を含んでなる、相互に対して運動している接触表面間の境界層の摩擦を改善する方法を提供する。幾つかの実施形態においては、その表面はエンジンの接触している面である。
【００８４】
改善される境界層の摩擦は、請求項１に請求される通りの１種以上の摩擦修正剤の不存在下における同一組成物に関連して決定されることができる。
【００８５】
本開示は、本明細書に開示されるような潤滑油組成物を使用して表面を潤滑する工程を含んでなる、相互に関連して運動している、接触表面間の薄膜の摩擦を改善する方法を提供する。幾つかの実施形態においては、その表面はエンジンの接触している面である。
【００８６】
定義
本明細書に使用されるような特定の用語の意味を明確にするために、用語の以下の定義が提供される。
【００８７】
本明細書で、そして付記の請求の範囲に使用されるような、単数形「ａ」、「ａｎ」および「ｔｈｅ」は、文脈が明確に別記しない限り、複数の指示物を含むことに注意しなければならない。更に、用語「一つの（ａ）」（または一つの「ａｎ」）、「一つ以上の（ｏｎｅ  ｏｒ  ｍｏｒｅ）」、および「少なくとも一つの」は、本明細書では互換的に使用することができる。用語「含んでなる」、「含む」、「をもつ」および「から成る」もまた、互換的に使用することができる。
【００８８】
明細書および請求の範囲に使用される成分の量、分子量、パーセント、比率、反応条件のような特性、等を表すすべての数字は、別記されない限り、用語「約」が存在するか否かに拘わらず、すべての場合に、用語「約」により修飾されているものと理解することができる。従って、明細書および請求の範囲内に示される数値パラメーターは、その反対を指摘されない限り、本開示により獲得することが追求される、所望される特性に応じて変動する可能性がある近似値である。最低限でも、そして請求の範囲に、同等物の原理の適用を限定するための試みとしてではなく、各数値パラメーターは少なくとも、報告された有意な桁数の数字に照らし、そして通常の近似法を適用することにより、解釈されなければならない。本開示の広い範囲を示す数値範囲およびパラメーターが近似値であるにも拘わらず、特定の実施例に示される数値はできるだけ正確に報告される。しかし、あらゆる数値は本質的に、それらそれぞれの試験測定値に認められる標準偏差から必然的にもたらされる特定の誤差を含む。
【００８９】
本明細書に開示される各成分、化合物、置換基またはパラメーターは、単独で、または本明細書に開示される一つ以上のありとあらゆるその他の成分、化合物、置換基またはパラメーターと組み合わせて使用するために開示されていると解釈することができることが理解できる。
【００９０】
更に、本明細書に開示される各成分、化合物、置換基またはパラメーターに対する各量／値、または量／値の範囲もまた、本明細書に開示されるあらゆる他の１種以上の成分、化合物、置換基またはパラメーターに対して開示される各量／値、または量／値の範囲と組み合わせて開示されているものと解釈されることができ、従って、本明細書に開示される２種以上の成分、化合物、置換基またはパラメーターに対する量／値、または量／値の
範囲のあらゆる組み合わせもまた、本説明の目的のために相互と組み合わせて開示されていることを理解することができる。
【００９１】
更に、本明細書に開示される各範囲の各下限は、同一成分、化合物、置換基またはパラメーターに対して本明細書で開示される各範囲の各上限と組み合わせて開示されていると解釈することができることが理解される。従って、二つの範囲の開示物は、各範囲の各下限を各範囲の各上限と組み合わせることにより誘導される４つの範囲の開示物と解釈することができる。３つの範囲の開示物は、各範囲の各上限と各範囲の各下限とを組み合わせることにより誘導される９つの範囲の開示物、等と解釈することができる。更に、明細書または実施例中に開示される一つの成分、化合物、置換基またはパラメーターの特定の量／値は、ある範囲の下限または上限のいずれかの開示物と解釈することができ、従ってその成分、化合物、置換基またはパラメーターの範囲を形成するためには、出願書の他の場所に開示される同一の成分、化合物、置換基またはパラメーターに対するある範囲のあらゆる他の下限または上限、あるいは特定の量／値と組み合わせることができる。
【００９２】
用語「オイル組成物」、「潤滑組成物」、「潤滑油組成物」、「潤滑油」、「潤滑剤組成物」、「潤滑組成物」、「完全配合潤滑剤組成物」、「完成配合潤滑剤」、「完成配合組成物」、「完成配合油組成物」、「完成油」および「潤滑剤」は、主要量の基油プラス少量の添加剤組成物を含んでなる最終潤滑製品を表す、同義の、完全に互換性の用語であると考えられる。
【００９３】
用語「クランクケースオイル」、「クランクケース潤滑剤」、「エンジンオイル」、「エンジン潤滑剤」、「モーター油」および「モーター潤滑剤」は、主要量の基油プラス少量の添加剤組成物を含んでなる、完成したエンジン、モーターまたはクランクケースの潤滑製品を表す、同義の、完全に互換性の用語であると考えられる。
【００９４】
本明細書で使用される用語「添加剤パッケージ」、「添加剤濃厚物」および「添加剤組成物」は、主要量の基油原料を除く潤滑組成物の部分を表す、同義の、完全に互換性の用語であると考えられる。添加剤パッケージは粘度指数向上剤または流動点降下剤を含んでも含まなくてもよい。
【００９５】
本明細書で使用される用語「エンジンオイルの添加剤パッケージ」、「エンジンオイルの添加剤濃厚物」、「クランクケースの添加剤パッケージ」、「クランクケースの添加剤濃厚物」、「モーター油の添加剤パッケージ」および「モーター油の濃厚物」は、主要量の基油原料を除く潤滑組成物の部分を表す、同義の、完全に互換性の用語であると考えられる。エンジン、クランクケースまたはモーター油の添加剤パッケージは、粘度指数向上剤または流動点降下剤を含んでも含まなくてもよい。
【００９６】
本明細書で使用される用語「ヒドロカルビル置換基」または「ヒドロカルビル基」は、当業者に周知の、その通常の意味で使用される。それは、特に、分子の残りの部分に直接結合された炭素原子をもち、そして主として炭化水素の特性をもつ基を表す。本明細書で使用される「基（ｇｒｏｕｐ）」および「部分（ｍｏｉｅｔｙ）」は互換性であることが意図される。ヒドロカルビル基の例は、
（ａ）炭化水素置換基、すなわち、脂肪族置換基（例えば、アルキルまたはアルケニル）、脂環式置換基（例えば、シクロアルキル、シクロアルケニル）、および芳香族、脂肪族および脂環式置換芳香族置換基、並びに環式置換基、ここで環は分子の他の部分により完成される（例えば、２個の置換基が一緒になって一つの脂環式部分を形成する）、
（ｂ）置換炭化水素置換基、すなわち、本開示の範疇では、置換基の主として炭化水素の特性を実質的には変えない、非炭化水素基（例えば、ハロ（特にクロロおよびフルオロ）、ヒドロキシ、アルコキシ、メルカプト、アルキルメルカプト、ニトロ、ニトロソ、アミノ、アルキルアミノおよびスルホキシ）を含む置換基、並びに
（ｃ）ヘテロ置換基、すなわち、本開示の範疇では、主として炭化水素の特性をもちながら、他の点では炭素原子よりなる環または鎖中に炭素原子以外の原子を含む置換基：
を含む。ヘテロ原子は硫黄、酸素および窒素を含むことができ、そしてヘテロ置換基は、ピリジル、フリル、チエニルおよびイミダゾリルのような置換基を包含する。ヒドロカルビル基中には、概して、例えば、各１０個の炭素原子に対して、２個以下の、または１個以下の非炭化水素置換基が存在するであろう。典型的には、ヒドロカルビル基中には非炭化水素置換基は存在しない。
【００９７】
本明細書で使用される用語「重量パーセント」は、明確に別記されない限り、全組成物の総重量のうちの、引用される１種以上の成分、化合物、または置換基が表す百分率を意味する。
【００９８】
本明細書で使用される用語「可溶性」、「油溶性」および「分散性」は、必然的ではないが、その化合物または添加剤が、すべての割合で、油中に可溶性、溶解可能、混和性または懸濁可能であることを示すことができる。しかし、前述の用語は、１種以上の成分、化合物または添加剤が、例えば、油が使用される環境内でそれらの意図される効果を発揮するのに十分な程度まで油中に可溶性、懸濁可能、溶解可能、または安定に分散可能であることを意味する。更に、その他の添加剤の更なる取り入れもまた、所望される場合は、より高レベルの、特定の油に可溶性または分散性の化合物または添加剤の取り入れを許すことができる。
【００９９】
本明細書で使用される用語「ＴＢＮ」は、ＡＳＴＭ  Ｄ２８９６またはＡＳＴＭ  Ｄ４７３９の方法により測定されるｍｇ  ＫＯＨ／ｇにおける総塩基価を意味するために使用される。
【０１００】
本明細書で使用される用語「アルキル」は、約１〜約１００個の炭素原子の炭素鎖をもつ、直鎖、分枝鎖、環式および／または置換飽和基を表す。
【０１０１】
本明細書で使用される用語「アルケニル」は、約３〜約１０個の炭素原子の炭素鎖をもつ、直鎖、分枝鎖、環式および／または置換不飽和基を表す。
【０１０２】
本明細書で使用される用語「アリール」は、アルキル、アルケニル、アルキルアリール、アミノ、ヒドロキシル、アルコキシおよび／またはハロ置換基、並びに／あるいは、限定はされないが、窒素、酸素および硫黄を含むヘテロ原子、を含むことができる単環式および多環式芳香族化合物を表す。
【０１０３】
本明細書の潤滑剤、１種以上の成分または化合物の組み合わせ物、あるいは個々の１種以上の成分または化合物は、様々なタイプの内燃エンジンにおける使用に適することができる。適切なエンジンのタイプは、限定はされないが、重量ジーゼル、乗用車、軽量ジーゼル、中速度ジーゼルまたはマリーン・エンジンを含むことができる。内燃エンジンは、ジーゼル燃料エンジン、ガソリン燃料エンジン、天然ガス燃料エンジン、バイオ燃料エンジン、混合ジーゼル／バイオ燃料エンジン、混合ガソリン／バイオ燃料エンジン、アルコール燃料エンジン、混合ガソリン／アルコール燃料エンジン、圧縮天然ガス（ＣＮＧ）燃料エンジン、またはそれらの組み合わせ物であることができる。内燃エンジンはまた、電源または電池動力源と組み合わせて使用することができる。そのように形作られているエンジンは一般にハイブリッドエンジンとして知られている。内燃エンジンは２−ストローク、４−ストローク、またはロータリーエンジンであることができる。実施形態をそれに適用することができる適切な内燃エンジンは、マリーンジーゼルエンジン、航空機ピスト
ンエンジン、低荷重ジーゼルエンジンおよびオートバイ、自動車、機関車およびトラックのエンジンを含む。
【０１０４】
内燃エンジンは、１種以上の、アルミニウム合金、鉛、錫、銅、鋳鉄、マグネシウム、セラミックス、ステンレス鋼、複合材料および／またはそれらの組み合わせ物を含んでなる１種以上の部材を含むことができる。１種以上の部材は例えば、ダイヤモンド様炭素被膜、潤滑被膜、リン含有被膜、モリブデン含有被膜、黒鉛被膜、ナノ粒子含有被膜、および／またはそれらの組み合わせ物または混合物で被覆することができる。アルミニウム合金は珪酸アルミニウム、酸化アルミニウム、またはその他のセラミック材料を含むことができる。一つの実施形態においては、アルミニウム合金はアルミニウム−シリケート表面を含んでなる。本明細書で使用される用語「アルミニウム合金」は、「アルミニウム複合材料」と同義であることが意図され、その詳細な構造に関係なく、顕微鏡的またはほぼ顕微鏡的レベルで混合または反応されるアルミニウムおよび１種以上のその他の成分を含んでなる一つの部材または表面を説明することが意図される。これは、アルミニウム以外の金属とのあらゆる従来の合金並びにセラミック様材料のような非金属元素または化合物との複合材料または合金様構造物を含むと考えられる。
【０１０５】
内燃エンジンのための潤滑剤組成物は、硫黄、リンまたは硫酸灰分（ＡＳＴＭ  Ｄ−８７４）に関係なく、あらゆるエンジンの潤滑剤に適することができる。エンジン潤滑剤の硫黄含量は、約１重量％以下、または約０．８重量％以下、または約０．５重量％以下、または約０．３重量％以下であることができる。一つの実施形態においては、硫黄含量は約０．００１重量％〜約０．５重量％、または約０．０１重量％〜約０．３重量％の範囲内にあることができる。リン含量は約０．２重量％以下、または約０．１重量％以下、または約０．０８５重量％以下、または約０．０８重量％以下、または更に、約０．０６重量％以下、または約０．０５５重量％以下、または約０．０５重量％以下であることができる。一つの実施形態においては、リン含量は約５０ｐｐｍ〜約１０００ｐｐｍ、または約３２５ｐｐｍ〜約８５０ｐｐｍであることができる。総硫酸灰分は、約２重量％以下、または約１．５重量％以下、または約１．１重量％以下、または約１重量％以下、または約０．８重量％以下、または約０．５重量％以下であることができる。一つの実施形態においては、硫酸灰分は、約０．０５重量％〜約０．９重量％、または約０．１重量％〜約０．７重量％、または約０．２重量％〜約０．４５重量％であることができる。他の実施形態においては、硫黄含量は０．４重量％以下であることができ、リン含量は約０．０８重量％以下であることができ、そして硫酸灰分は約１重量％以下であることができる。更に他の実施形態においては、硫黄含量は約０．３重量％以下であることができ、リン含量は約０．０５重量％以下であることができ、そして硫酸灰分は約０．８重量％以下であることができる。
【０１０６】
一つの実施形態においては、潤滑組成物は（ｉ）約０．５重量％以下の硫黄含量、（ｉｉ）約０．１重量％以下のリン含量、および（ｉｉｉ）約１．５重量％以下の硫酸灰分：を有することができる。
【０１０７】
一つの実施形態においては、潤滑組成物は２−ストロークまたは４−ストロークのマリーンジーゼル内燃エンジンに適する。一つの実施形態においては、マリーンジーゼル燃焼エンジンは２−ストロークエンジンである。
【０１０８】
更に、本明細の潤滑剤は、ＩＬＳＡＣ  ＧＦ−３、ＧＦ−４、ＧＦ−５、ＧＦ−６、ＰＣ−１１、ＣＩ−４、ＣＪ−４、ＡＣＥＡ  Ａ１／Ｂ１、Ａ２／Ｂ２、Ａ３／Ｂ３、Ａ５／Ｂ５、Ｃ１、Ｃ２、Ｃ３、Ｃ４、Ｅ４／Ｅ６／Ｅ７／Ｅ９、Ｅｕｒｏ  ５／６、Ｊａｓｏ  ＤＬ−１、Ｌｏｗ  ＳＡＰＳ、Ｍｉｄ  ＳＡＰＳのような１種以上の工業規格条件、またはｄｅｘｏｓＴＭ  １、ｄｅｘｏｓＴＭ  ２、ＭＢ−Ａｐｐｒｏｖａｌ  ２２９．５
１／２２９．３１、ＶＷ５０２．００、５０３．００／５０３．０１、５０４．００、５０５．００、５０６．００／５０６．０１、５０７．００、ＢＭＷ  Ｌｏｎｇｌｉｆｅ−０４、Ｐｏｒｓｃｈｅ  Ｃ３０、Ｐｅｕｇｅｏｔ  Ｃｉｔｒｏｅｎ  Ａｕｔｏｍｏｂｉｌｅｓ  Ｂ７１  ２２９０、Ｆｏｒｄ  ＷＳＳ−Ｍ２Ｃ１５３−Ｈ、ＷＳＳ−Ｍ２Ｃ９３０−Ａ、ＷＳＳ−Ｍ２Ｃ９４５−Ａ、ＷＳＳ−Ｍ２Ｃ９１３Ａ、ＷＳＳ−Ｍ２Ｃ９１３−Ｂ、ＷＳＳ−Ｍ２Ｃ９１３−Ｃ、ＧＭ６０９４−Ｍ、Ｃｈｒｙｓｌｅｒ  ＭＳ−６３９５のような初代装置の（ｏｒｉｇｉｎａｌ  ｅｑｕｉｐｍｅｎｔ）製造会社の規格、あるいは、本明細書には言及されていない、あらゆる過去または将来のＰＣＭＯまたはＨＤＤ規格、を充たすのに適切であることができる。乗用車のモーター油（ＰＣＭＯ）の適用に対する幾つかの実施形態においては、完成流動体中のリンの量は１０００ｐｐｍ以下、または９００ｐｐｍ以下、または８００ｐｐｍ以下である。
【０１０９】
その他のハードウェアは、開示された潤滑剤と一緒の使用には適さないかも知れない。「機能液（ｆｕｎｃｔｉｏｎａｌ  ｆｌｕｉｄ）」は、限定はされないが、トラクターの油圧油、自動変速機油、連続可変機油および手動変速機油を含む動力伝達液、その他の油圧油、幾つかのギアオイル、パワーハンドル液、風力タービンおよびコンプレッサーに使用される流動体、幾つかの工業用液、並びに伝導機構部材に関して使用される流動体を含む多様な流動体を包含する用語である。例えば、自動変速機油のような、これらの流動体の各クラス内に、著しく異なる機能的特徴をもつ特定化流動体に対する需要をもたらした、異なるデザインをもつ様々な装置／伝達装置のための、様々な、異なるタイプの流動体が存在することに注目しなければならない。これは、機能液と同じように、動力を発生または移動するためには使用されない流動体を意味するために使用される用語「潤滑液（ｌｕｂｒｉｃａｔｉｎｇ  ｆｌｕｉｄ）」により対比される。
【０１１０】
例えば、トラクターの油圧油に関して、これらの流動体は、エンジンを潤滑するためを除いて、トラクター中のすべての潤滑剤適用物のために使用される全目的の製品である。これらの潤滑適用物は、ギアボックス、動力取出し装置および一つ以上のクラッチ、リアアクセル、減速ギア、ウェットブレーキ、および油圧付属品の潤滑を含むことができる。
【０１１１】
機能液が自動変速機油である時は、自動変速機油は動力を移動するためにクラッチ板に十分な摩擦をもたなければならない。しかし、流動体は作動中に加熱するために、このような流動体の摩擦係数は温度効果により低下する傾向をもつ。このようなトラクターの油圧油または自動変速機油は、高温で高い摩擦係数を維持することが重要であり、さもなければ、ブレーキ系統または自動変速機が破損する可能性がある。これは、エンジンオイルの機能ではない。
【０１１２】
トラクター油圧油、および例えばＳｕｐｅｒ  Ｔｒａｃｔｏｒ  Ｕｎｉｖｅｒｓａｌ  Ｏｉｌｓ（ＳＴＵＯｓ）またはＵｎｉｖｅｒｓａｌ  Ｔｒａｃｔｏｒ  Ｔｒａｎｓｍｉｓｓｉｏｎ  Ｏｉｌｓ（ＵＴＴＯｓ）は、変速装置、差動装置、ファイナルドライブプラネタリーギア、ウェットブレーキに対する一つ以上の適応物を伴うエンジンオイルの性能と、油圧性能（ｈｙｄｒａｕｌｉｃ  ｐｅｒｆｏｒｍａｎｃｅ）とを組み合わせることができる。ＵＴＴＯまたはＳＴＵＯ流動体を配合するために使用される多数の添加剤は機能において同様であるが、それらは適切に取り入れないと、有害な効果をもつ可能性がある。例えば、エンジンオイル中に使用される幾つかの摩耗防止剤および極圧添加剤は、油圧ポンプ内の銅部材に極めて腐食性である可能性がある。ガソリンまたはジーゼルエンジンの性能のために使用される清浄剤および分散剤は、ウェットブレーキの性能に有害である可能性がある。これらの流動体はそれぞれ、機能液、トラクター油圧油または潤滑液のいずれであろうとも、それらの意図される目的と関連した、特定の、厳格な製造会社の条件を充たすようになっている。
【０１１３】
本開示の潤滑油組成物は、１種以上の添加剤の添加により、適切な基油中に配合されることができる。添加剤は、添加剤パッケージ（または濃厚物）の形態で基油と合わせるか、あるいはまた、基油と個々に合わせることができる。完全配合潤滑剤は、組成物中に使用される添加剤およびこれら添加剤のそれぞれの割合に基づいて、改善された性能特性を示すことができる。
【０１１４】
本開示は、自動車のクランクケースの潤滑剤としての使用のために特別に配合された、新規の潤滑油ブレンドを含む。本開示の実施形態は、クランクケースの適用に適した、そして以下の特徴：空気の巻き込み、アルコール燃料混和性、抗酸化性、摩耗抵抗性、バイオ燃料混和性、消泡性、減摩性、燃料節約性、過早点火防止、錆抑制、スラッジおよび／またはススの分散性、および水許容性、における改良を有する潤滑油を提供することができる。
【０１１５】
本開示の更なる詳細および利点は、一部は以下の説明に示されるであろうし、そして／または本開示の実施により学習されることができる。本開示の詳細および利点は、特に付記の請求の範囲中に指摘される要素および組み合わせにより実現され、到達されることができる。前述の全般的説明および以下の詳細な説明は双方とも、典型的であり、説明的のみであり、そして請求される通りに本開示の範囲を限定するものではないことを理解することができる。
【発明を実施するための形態】
【０１１６】
詳細な説明
具体的に示す目的のために、本開示の原則は、様々な実施形態を参照することにより、説明される。本明細書には本開示の特定の実施形態が具体的に説明されるが、当業者は、同様な原理が他のシステムおよび方法も同様に適用可能であり、また使用することができることを容易に認めるであろう。本開示の開示される実施形態を詳細に説明する前に、本開示が、その適用において、示されるあらゆる特定の実施形態の詳細に限定されないことを理解することができる。更に、本明細書に使用される用語は、説明の目的のためのものであり、限定のためのものではない。更に、多数の場合、特定の方法が、特定の順序で本明細書に提示される工程に関して説明されるが、これらの工程は、当業者により認められることができるような、どんな順序でも実施されることができ、従って、新規の方法は、本明細書に開示される工程の特定の配列に限定されない。
【０１１７】
一つの態様においては、本開示は主要量の基油と少量の添加剤パッケージとを含んでなる潤滑油組成物を提供し、ここで該添加剤パッケージが、
（Ａ）式ＩおよびＩＩ：
【０１１８】
【化２４】
2014122345.tif 000025
【０１１９】
［式中、Ｒは約８〜約２２個の炭素原子をもつ、直線状もしくは分枝状の、飽和、不飽和、または一部飽和ヒドロカルビル基であり、そしてＲ１は約１〜約８個の炭素原子をもつヒドロカルビル基または、１個以上のヘテロ原子を含むＣ１〜Ｃ８ヒドロカルビル基である］、
【０１２０】
【化２５】
2014122345.tif 000026
【０１２１】
［式中、Ｒは約８〜約２２個の炭素原子をもつ、直線状もしくは分枝状の、飽和、不飽和、または一部飽和ヒドロカルビル基であり、そしてＲ２とＲ３は独立して、水素、Ｃ１〜Ｃ１８ヒドロカルビル基および、１個以上のヘテロ原子を含むＣ１〜Ｃ１８ヒドロカルビル基から選択される］、
の１種以上の化合物、
（Ｂ）式ＩＩＩおよびＩＶ：
【０１２２】
【化２６】
2014122345.tif 000027
【０１２３】
［式中、Ｒは約８〜約２２個の炭素原子をもつ、直線状もしくは分枝状の、飽和、不飽和、または一部飽和ヒドロカルビル基であり、そしてＸはアルカリ金属、アルカリ土類金属またはアンモニウムのカチオンであり、そしてｎはカチオンＸの原子価である］、
【０１２４】
【化２７】
2014122345.tif 000028
【０１２５】
［式中、Ｒは約８〜約２２個の炭素原子をもつ、直線状もしくは分枝状の、飽和、不飽和、または一部飽和ヒドロカルビル基である］、
から独立して選択される少なくとも２種の化合物、並びに
（Ｃ）式ＩおよびＩＩの少なくとも１種の化合物と組み合わせた、式ＩＩＩおよびＩＶの少なくとも１種の化合物、
から選択される１種以上の摩擦修正剤成分を含んでなる。
【０１２６】
式Ｉ〜ＩＩＩは、これらの化合物が以下に、更に詳細に考察されるような様々な化合物
との、アシルＮ−メチルグリシンの反応により生成されることができるために、アシルＮ−メチルグリシン誘導体と呼ばれることができる化合物を表す。式Ｉ〜ＩＶの化合物は潤滑油中に配合される時に摩擦修正剤として働く。
【０１２７】
式Ｉ〜ＩＶにより表される摩擦修正剤は、約８〜約２２、または約１０〜約２０、または約１２〜約１８、または約１２〜約１６個の炭素原子を含んでなるＲ基をもつことができる。
【０１２８】
幾つかの実施形態においては、本開示の摩擦修正剤は、そのＲ１が約１〜８個の炭素原子をもつヒドロカルビル基または、１個以上のヘテロ原子を含むＣ１〜Ｃ８ヒドロカルビル基から選択される式Ｉにより表される化合物である。式Ｉにより表される摩擦修正剤はエステルである。本開示における使用に適切な幾つかのエステルは、オレオイルサルコシンのエチルエステル、ラウロイルサルコシンのエチルエステル、オレオイルサルコシンのブチルエステル、ココイルサルコシンのエチルエステル、ラウロイルサルコシンのペンチルエステル、エチル２−（Ｎ−メチルオクタデカ−９−エンアミド）アセテート、エチル２−（Ｎ−メチルドデカンアミド）アセテート、ブチル２−（Ｎ−メチルオクタデカ−９−エンアミド）アセテート、およびペンチル２−（Ｎ−メチルドデカンアミド）アセテートである。２−（Ｎ−メチルテトラデカ−９−エンアミド）酢酸、２−（Ｎ−メチルヘキサデカ−９−エンアミド）酢酸、２−（Ｎ−メチルオクタデカ−９−エンアミド）酢酸、２−（Ｎ−メチルオクタデカ−９，１２−ジエンアミド）酢酸および２−（Ｎ−メチルオクタデカ−９，１２，１５−トリエンアミド）酢酸のエステルのような不飽和エステルも使用することができる。
【０１２９】
エステルはアシルＮ−メチルグリシンと少なくとも１種のアルコールとの反応生成物であることができる。アルコールがそれと反応することができるアシルＮ−メチルグリシンは式ＩＶ：
【０１３０】
【化２８】
2014122345.tif 000029
【０１３１】
［式中、Ｒは、約８〜約２２個の炭素原子をもつ、直線状もしくは分枝状の、飽和、不飽和、または一部飽和ヒドロカルビル基であり、そして酸基上のヒドロキシ基はまた、所望される場合は、アルコールとの反応の前に、適切な離脱基により置換されてもよい］
により表すことができる。アルコールはＲ１−ＯＨにより表されることができ、そのＲ１はＣ１〜Ｃ８ヒドロカルビル基または、１個以上のヘテロ原子を含むＣ１〜Ｃ８ヒドロカルビル基を含んでなる。
【０１３２】
式ＩＶの幾つかの適切な化合物は、オレオイルサルコシン、ラウロイルサルコシン、ココイルサルコシン、２−（Ｎ−メチルオクタデカ−９−エンアミド）酢酸、２−（Ｎ−メチルドデカンアミド）酢酸、２−（Ｎ−メチルテトラデカンアミド）酢酸、２−（Ｎ−メチルヘキサデカンアミド）酢酸、２−（Ｎ−メチルオクタデカンアミド）酢酸、２−（Ｎ−メチルイコサンアミド）酢酸および２−（Ｎ−メチルドコサンアミド）酢酸を含む。
【０１３３】
本開示に従う摩擦修正剤を生成するための、式ＩＶの化合物との反応に適したアルコー
ルは、メタノール、エタノール、ｎ−プロパノール、イソプロパノール、ｎ−ブタノール、イソブタノール、第三級ブタノール、ｎ−ペンタノール、イソペンタノールのようなペンタノール、ヘキサノール、ヘプタノールおよびオクタノールのような直鎖または分枝鎖のＣ１−Ｃ８アルコール並びに不飽和Ｃ１−Ｃ８アルコールおよびエタン−１，２−ジオール、２−メトキシエタノールのようなヘテロ原子含有Ｃ１−Ｃ８アルコール、エステルアルコールまたはトリエタノールアミンのようなアミノアルコール、を含む。エタノール、プロピルアルコールおよびブチルアルコールは本開示に従う摩擦修正剤の調製に有用である。
【０１３４】
幾つかの実施形態においては、本開示の摩擦修正剤は、そのＲ２とＲ３が独立して、水素、約１〜約１８個の炭素原子をもつヒドロカルビル基および、約１〜約１８個の炭素原子をもつ含むヘテロ原子含有ヒドロカルビル基、から選択される式ＩＩにより表される。その他の実施形態においては、Ｒ２とＲ３は独立して、約３〜１２個の炭素原子をもつヒドロカルビル基およびヘテロ原子含有ヒドロカルビル基、または約４〜約８個の炭素原子をもつヒドロカルビル基およびヘテロ原子含有ヒドロカルビル基、から選択されることができる。式ＩＩにより表される摩擦修正剤はアミドである。
【０１３５】
アミドは、１種以上のアシルＮ−メチルグリシンまたはアシルＮ−メチルグリシン誘導体と１種以上のアミンとの反応生成物であることができる。アシルＮ−メチルグリシンは本明細書に記載のような、式ＩＶにより表されることができる。アミンは式Ｖ：
【０１３６】
【化２９】
2014122345.tif 000030
【０１３７】
［式中、Ｒ２、Ｒ３およびＲ４は同一であるかまたは異なり、そして独立して、水素、約１〜約１８個、３〜約１２個、または約４〜約８個の炭素原子をもつヒドロカルビル基、またはヘテロ原子含有ヒドロカルビル基から選択される］
により表されることができる。適切なアミンは第一級および第二級アミンを含む。適切なアミンは例えば、アンモニア、２−エチルヘキシルアミン、ｎ−ブチルアミン、ｔ−ブチルアミン、イソプロピルアミン、ｎ−ペンチルアミン、イソペンチルアミンを含むペンチルアミン、２−エチルプロピル−アミン、オクチルアミン、ジブチルアミンおよびジメチルアミノプロピルアミンを含む。適切なアミドは、例えば、１種以上の、メトキシエチルアミン、トリス−ヒドロキシメチル・アミノ−メタン（ＴＨＡＭ）およびジエタノールアミンとの、式ＩＶの化合物の反応生成物を含む。その他の適切なアミド反応生成物は、２−（Ｎ−メチルオクタデカ−９−エンアミド）酢酸と２−エチルヘキシルアミンとの反応生成物である。
【０１３８】
他の実施形態においては、本開示の摩擦修正剤は、そのＸがアルカリ金属もしくはアルカリ土類金属のカチオン、またはアンモニウムのカチオンである式ＩＩＩにより表される金属塩またはアミン塩の形状にある。本開示中に使用のための摩擦修正剤として適切な塩は例えば、２−（Ｎ−メチルドデカンアミド）酢酸のナトリウム塩、２−（Ｎ−メチルオクタデカンアミド）酢酸のカリウム塩を含む、ナトリウム、リチウムおよびカリウム塩のような１価の塩、並びにカルシウム、マグネシウムおよびバリウム塩のような２価の塩を含む。
【０１３９】
式ＩＩＩのアミン塩は、アンモニウムイオンから選択されるアンモニウムカチオンおよ
び第一級、第二級または第三級アミンのカチオンを含んでなることができる。アミンカチオン上のヒドロカルビル基は、独立して、約１〜約１８個の炭素原子、または約１〜約１２個の炭素原子、または約１〜約８個の炭素原子を含むヒドロカルビル基から選択されることができる。一つの実施形態においては、アンモニウムカチオン上のヒドロカルビル基は約１４〜約１８個の炭素原子をもつことができる。適切なアミン塩は、２−（Ｎ−メチルドデカンアミド）酢酸の２−エチルヘキシルアミン塩および２−（Ｎ−メチルオクタデカンアミド）酢酸の２−エチルブチルアミン塩を含む。
【０１４０】
その他の態様においては、本開示は、主要量の基油と少量の添加剤パッケージとを含んでなるエンジンオイル組成物を提供し、ここで、添加剤パッケージが、
式ＩＶ：
【０１４１】
【化３０】
2014122345.tif 000031
【０１４２】
［式中、Ｒは約８〜約２２個の炭素原子をもつ、直線状もしくは分枝状の、飽和、不飽和、または一部飽和ヒドロカルビル基である］の１種以上の化合物と、１種以上の、アルカリ金属もしくはアルカリ土類金属の水酸化物、アルカリ金属もしくはアルカリ土類金属の酸化物およびそれらの混合物、との反応生成物である１種以上の塩、を含んでなる。
【０１４３】
適切なアルカリ金属もしくはアルカリ土類金属の水酸化物または対応する酸化物は、限定はされないが、水酸化ナトリウム、水酸化カリウム、水酸化リチウム、水酸化カルシウム、酸化カルシウム、水酸化マグネシウム、水酸化バリウム、等を含む。
【０１４４】
本開示における使用のための摩擦修正剤として適切な塩は、例えば、２−（Ｎ−メチルドデカンアミド）酢酸のナトリウム塩、２−（Ｎ−メチルオクタデカンアミド）酢酸のカリウム塩のような１価の塩、カルシウム、マグネシウムおよびバリウム塩のような２価の塩を含む。
【０１４５】
その他の態様においては、本開示は、主要量の基油と少量の添加剤パッケージとを含んでなる潤滑油組成物を提供し、ここでその添加剤パッケージが、
式ＩＶ：
【０１４６】
【化３１】
2014122345.tif 000032
【０１４７】
［式中、Ｒは約８〜約２２個の炭素原子をもつ、直線状もしくは分枝状の、飽和、不飽和、または一部飽和ヒドロカルビル基である］の１種以上の化合物と、１種以上のアミンア
ルコールとの１種以上の反応生成物を含んでなる。
【０１４８】
適切なアミンアルコールは、限定はされないが、エタノールアミン、ジエタノールアミン、アミノエチル・エタノールアミン、トリス−ヒドロキシメチル・アミノ−メタン（ＴＨＡＭ）、等、並びにそれらの混合物を含む。
【０１４９】
幾つかの実施形態においては、潤滑油組成物はエンジンオイルである。
【０１５０】
幾つかの実施形態においては、式ＩＶとアミンアルコールとの反応生成物は、アミドとエステルの混合物を含んでなるか、またはそれらより成ることができる。
【０１５１】
一つの実施形態においては、本開示は、式ＩＶ：
【０１５２】
【化３２】
2014122345.tif 000033
【０１５３】
［式中、Ｒは約８〜約２２個の炭素原子をもつ、直線状もしくは分枝状の、飽和、不飽和、または一部飽和ヒドロカルビル基である］の１種以上の化合物と、式Ｖ：
【０１５４】
【化３３】
2014122345.tif 000034
【０１５５】
［式中、Ｒ４、Ｒ５およびＲ６は独立して、水素、Ｃ１〜Ｃ１８ヒドロカルビル基およびヘテロ原子含有Ｃ１〜Ｃ１８ヒドロカルビル基から選択される］の１種以上のアミンとの、
１種以上の反応生成物を含んでなる。本明細書に記載のアミンを本反応に使用することができる。これらの反応生成物は１種以上のアミドを含んでなることができるかまたはそれらよりなることができる。
【０１５６】
本開示はまた、主要量の基油と少量の添加剤パッケージとを含んでなる潤滑油組成物を含み、ここでその添加剤パッケージが、
式ＩＶ：
【０１５７】
【化３４】
2014122345.tif 000035
【０１５８】
［式中、Ｒは約８〜約２２個の炭素原子をもつ、直線状もしくは分枝状の、飽和、不飽和、または一部飽和ヒドロカルビル基であり、酸基上の水素原子はまた、適切な離脱基により置換されてもよい］の１種以上の化合物と、
そのＲ１がヒドロカルビル基または、１個以上のヘテロ原子を含むＣ１〜Ｃ８ヒドロカルビル基を含んでなる、Ｒ１−ＯＨにより表される１種以上のアルコール、との１種以上の反応生成物を含んでなる。本明細書に記載のアルコールをこの反応に使用することができる。これらの反応生成物は１種以上のエステルを含んでなるかまたはそれらよりなることができる。
【０１５９】
幾つかの実施形態においては、該潤滑油組成物はエンジンオイルである。
【０１６０】
本開示はまた、主要量の基油と少量の添加剤パッケージとを含んでなるエンジンオイル組成物を含み、ここでその添加剤パッケージが、式ＩＶ：
【０１６１】
【化３５】
2014122345.tif 000036
【０１６２】
［式中、Ｒは約８〜約２２個の炭素原子をもつ、直線状もしくは分枝状の、飽和、不飽和、または一部飽和ヒドロカルビル基である］の１種以上の化合物と、
式Ｖ：
【０１６３】
【化３６】
2014122345.tif 000037
【０１６４】
［式中、Ｒ４、Ｒ５およびＲ６は独立して、水素、Ｃ１〜Ｃ１８ヒドロカルビル基およびヘテロ原子含有Ｃ１〜Ｃ１８ヒドロカルビル基から選択される］のアミン、
との反応生成物である１種以上のアンモニウム塩を含んでなる。
【０１６５】
式ＩＶの化合物と１種以上のアミンとの反応によりアミンを生成するために使用されるアミンは、アンモニウムイオンまたは第一級、第二級もしくは第三級アミンのカチオンを提供するアミンを含んでなることができる。アミンカチオン上のヒドロカルビル基は、約１〜約１８個の炭素原子、または約１〜約１２個の炭素原子、または約１〜約８個の炭素
原子を含むヒドロカルビル基から独立して選択されることができる。一つの実施形態においては、アンモニウムカチオン上のヒドロカルビル基は、１４〜１８個の炭素原子をもつことができる。
【０１６６】
その他の態様においては、本開示は、主要量の基油と少量の添加剤パッケージとを含んでなる潤滑油組成物を提供し、ここでその添加剤パッケージが、
式ＩＶ：
【０１６７】
【化３７】
2014122345.tif 000038
【０１６８】
［式中、Ｒは約８〜約２２個の炭素原子をもつ、直線状もしくは分枝状の、飽和、不飽和、または一部飽和ヒドロカルビル基である］の１種以上の化合物と、式ＩＶの化合物との反応のための、本明細書に記載の２種以上の反応物の混合物、との１種以上の反応生成物を含んでなる。一つの特に適切な組み合わせ物は、１種以上のアルコールとの式ＩＶの化合物の反応生成物、並びに１種以上の、アルカリ金属もしくはアルカリ土類金属の水酸化物、アルカリ金属もしくはアルカリ土類金属の酸化物、または式Ｖのアミン、を含んでなる。
【０１６９】
これらの反応生成物を製造するために使用することができるアルコールは、本明細書に記載のものと同様なアルコールである。アルカリ金属もしくはアルカリ土類金属の水酸化物およびアルカリ金属もしくはアルカリ土類金属の酸化物は、本明細書に記載のものと同じである。これらの反応生成物は、式Ｉのエステルと、式ＩＩＩのアルカリ金属、アルカリ土類金属またはアンモニウム塩との組み合わせ物を含んでなるか、またはそれらより成ることができる。
【０１７０】
本開示の幾つかの実施形態においては、式ＩＩＩおよびＩＶの化合物はまた、摩擦修正剤として使用されることができる。式ＩＩＩおよびＩＶの化合物が使用されるこのような実施形態においては、２種以上の摩擦修正剤が使用される。従って、幾つかの実施形態においては、本開示の潤滑油組成物またはエンジンオイル組成物は、式Ｉ〜ＩＶ並びにアルコール、アンモニア、アミン、アミノアルコール、アルカリ金属もしくはアルカリ土類金属の水酸化物、アルカリ金属もしくはアルカリ土類金属の酸化物およびそれらの混合物と、本明細書に記載の通りの式ＩＶの化合物との反応生成物、からそれぞれ独立して選択される２種以上の摩擦修正剤を含むことができる。このような実施形態は、潤滑油および、例えばエンジンオイルの特定の性状に合わせるために有用である。
【０１７１】
摩擦修正剤の混合物は、限定はされないが、２−（Ｎ−メチルオクタデカンアミド）酢酸と２−（Ｎ−メチルドデカンアミド）酢酸との混合物；２−（Ｎ−メチルオクタデカンアミド）酢酸とエチル２−（Ｎ−メチルオクタデカ−９−エンアミド）アセテートとの混合物；ココイルサルコシンとココイルサルコシンのエチルエステルとの混合物；エチル２−（Ｎ−メチルオクタデカ−９−エンアミド）アセテートとエチル２−（Ｎ−メチルドデカンアミド）アセテートとの混合物；２−（Ｎ−メチルオクタデカ−９−エンアミド）酢酸と２−（Ｎ−メチルドデカンアミド）酢酸との混合物；エチル２−（Ｎ−メチルオクタデカ−９−エンアミド）アセテートとココイルサルコシンのエチルエステルとの混合物；
エチル２−（Ｎ−メチルドデカンアミド）アセテートとココイルサルコシンのエチルエステルとの混合物；並びにエチル２−（Ｎ−メチルオクタデカ−９−エンアミド）アセテート、エチル２−（Ｎ−メチルドデカンアミド）アセテートおよびココイルサルコシンのエチルエステルの混合物を含むことができる。
【０１７２】
本明細書に記載される各潤滑油はエンジンオイルとして配合することができる。
【０１７３】
他の態様において、本開示は、薄膜の摩擦を改善または減少するために、本明細書に記載の潤滑油のいずれかを使用する方法に関する。他の態様においては、本開示は、境界層の摩擦を改善または減少するために、本明細書に記載の潤滑油のいずれかを使用する方法に関する。他の態様においては、本開示は、薄膜の摩擦および境界層の摩擦の両方を改善または減少するために、本明細書の記載の潤滑油のいずれかを使用する方法に関する。これらの方法は、本明細書に記載のあらゆるタイプの表面の潤滑のために使用することができる。
【０１７４】
更に他の態様において、本開示は、主要量の基油と少量の本明細書に開示されたような摩擦修正剤を含んでなる添加剤パッケージとを含んでなるエンジンオイルを使用して、エンジンを潤滑する工程を含んでなる、エンジン内の薄膜および境界層の摩擦を改善する方法を提供する。適切な摩擦修正剤は、本明細書に記載の式Ｉ〜ＩＩＩのものである。更に、式Ｖの１種以上のアミンと、式ＩＶの１種以上の化合物との反応生成物も適切である。更に、式Ｉ〜ＩＶ並びにアルコール、アミノアルコール、アンモニア、アミン、アルカリ金属もしくはアルカリ土類金属の水酸化物、アルカリ金属もしくはアルカリ土類金属の酸化物およびそれらの混合物と、本明細書に記載の通りの式ＩＶの化合物との反応生成物からそれぞれ独立して選択される２種以上の摩擦修正剤、の混合物も適切である。
【０１７５】
更に他の態様においては、本開示は、主要量の基油と本明細書に開示された通りの摩擦修正剤を含んでなる少量の添加剤パッケージとを含んでなるエンジンオイルを使用してエンジンを潤滑する工程を含んでなる、エンジン内の境界層の摩擦を改善する方法を提供する。適切な摩擦修正剤は、本明細書に記載の式Ｉ〜ＩＩＩのものである。更に、式Ｖの１種以上のアミンと、式ＩＶの１種以上の化合物との反応生成物も適切である。式Ｉ〜ＩＶ並びに、アルコール、アミノアルコール、アンモニア、アミン、アルカリ金属もしくはアルカリ土類金属の水酸化物、アルカリ金属もしくはアルカリ土類金属の酸化物およびそれらの混合物と、本明細書に記載の通りの式ＩＶの化合物との反応生成物、からそれぞれ独立して選択される２種以上の摩擦修正剤も適切である。
【０１７６】
更に他の態様においては、本開示は、主要量の基油と、本明細書に開示された通りの摩擦修正剤を含んでなる、少量の添加剤パッケージとを含んでなるエンジンオイルを使用してエンジンを潤滑する工程を含んでなる、エンジン内の薄膜の摩擦を改善する方法を提供する。適切な摩擦修正剤は、本明細書に記載の式Ｉ〜ＩＩＩのものである。更に、式Ｖの１種以上のアミンと、式ＩＶの１種以上の化合物との反応生成物も適切である。式Ｉ〜ＩＶ並びに、アルコール、アミノアルコール、アンモニア、アミン、アルカリ金属もしくはアルカリ土類金属の水酸化物、アルカリ金属もしくはアルカリ土類金属の酸化物およびそれらの混合物と、本明細書に記載の通りの式ＩＶの化合物との反応生成物、からそれぞれ独立して選択される２種以上の摩擦修正剤も適切である。
【０１７７】
本開示の１種以上の摩擦修正剤は、潤滑油組成物の総重量の約０．０５〜約２．０重量％、または約０．１〜約２．０重量％、または約０．２〜約１．８重量％、または約０．５約１．５重量％を含んでなることができる。完全配合エンジンオイルに適量の摩擦修正剤を送達するためには、摩擦修正剤の化合物の適量を添加剤パッケージ中に取り入れることができる。本開示の１種以上の摩擦修正剤は、添加剤パッケージの総重量の約０．１〜
約２０重量％、または約１．０〜約２０重量％、または約２．０〜約１８重量％、または約５．０〜約１５重量％、を含んでなることができる。
【０１７８】
組み合わせて使用される時の１種以上の摩擦修正剤は、１：１００〜１００：１、１：１：１００〜１：１００：１〜１００：１：１、またはあらゆるその他の適当な比率、等で使用することができる。
【０１７９】
本開示の添加剤パッケージおよび潤滑油およびエンジンオイルは更に、１種以上の、場合により使用される成分を含んでなることができる。これらの、場合により使用される成分の幾つかの例は、抗酸化剤、摩耗防止剤、ホウ素含有化合物、清浄剤、分散剤、極圧剤、本開示の摩擦修正剤に加えるその他の摩擦修正剤、リン含有化合物、モリブデン含有化合物、消泡剤、チタン含有化合物、粘度指数向上剤、流動点降下剤および希釈油を含む。本開示の添加剤パッケージおよび潤滑油およびエンジンオイル中に含むことができる、他の、場合により使用される成分は、以下に説明される。
イルとして配合することができる。
【０１８０】
基油
本開示の潤滑油組成物中に使用される基油は、「米国石油協会（ＡＰＩ）の基油互換性指針」中に明記されたような、グループＩ〜Ｖ中のあらゆる基油から選択することができる。５つの基油のグループは以下の通りである：
【０１８１】
【表１】
2014122345.tif 000039
【０１８２】
グループＩ、ＩＩ、およびＩＩＩは鉱油の原料油である。グループＩＶの基油は、オレフィン不飽和炭化水素の重合により生成される真の合成分子化合物を含む。多数のグループＶの基油もまた真の合成産物であり、ジエステル、ポリオールエステル、ポリアルキレン・グリコール、アルキル化芳香族化合物、ポリリン酸エステル、ポリビニルエーテル、および／またはポリフェニルエーテル、等を含むことができるが、更に、植物油のような天然に存在する油であることもできる。グループＩＩＩの基油は鉱油から誘導されるが、これらの流動体が受ける激しい処理が、それらの物理的特性をＰＡＯのような幾つかの真の合成物と非常に類似させる、ことに注意しなければならない。従って、グループＩＩＩの基油から誘導される油は、当該産業においては、時々、合成流動体と呼ばれることができる。
【０１８３】
開示された潤滑油組成物中に使用される基油は、鉱油、動物油、植物油、合成油、またはそれらの混合物であることができる。適切な油は、水素化分解、水素化、水素仕上げ、未精製、精製、および再精製油およびそれらの混合物から誘導することができる。
【０１８４】
未精製油は、僅かな更なる精製処理を伴って、または伴わずに、天然、鉱物または合成
原料から誘導されるものである。精製油は、１種以上の特性の改善をもたらす可能性がある１種以上の精製工程により処理されたことを除いて、未精製油と類似している。適切な精製法の例は、溶媒抽出法、二次蒸留、酸または塩基抽出法、濾過法、浸出濾過法、等である。食用油の品質まで精製される油は有用であるか、または有用ではないかも知れない。食用油はまた、白色油とも呼ばれる。幾つかの実施形態においては、潤滑剤組成物は食用油または白色油を含まない。
【０１８５】
再精製油はまた、再生（ｒｅｃｌａｉｍｅｄ）または再処理油として知られる。これらの油は、同一のまたは類似の方法を使用して精製油を得るために使用されるものと同様な方法で得られる。これらの油はしばしば、更に、消費済み添加剤および油の分解産物の除去を目的とする方法により処理される。
【０１８６】
鉱油は、掘削により、または植物および動物およびそれらの混合物から得られる油を含むことができる。このような油は、例えば、限定はされないがひまし油、ラード油、オリーブ油、ピーナツ油、コーン油、大豆油およびアマニ油、並びに、パラフィン、ナフテンまたは混合パラフィン−ナフテンタイプの、液体石油および溶媒処理または酸処理鉱物潤滑油のような鉱物の潤滑油を含むことができる。このような油は、所望される場合は、一部または完全に水素化されることができる。石炭またはシェールから誘導される油も有用であることができる。
【０１８７】
有用な合成潤滑油は、重合、オリゴマー化、または共重合オレフィン（例えば、ポリブチレン、ポリプロピレン、プロピレン・イソブチレン共重合体）のような炭化水素油；ポリ（１−ヘキセン）、ポリ（１−オクテン）、１−デセンの三量体またはオリゴマー、例えば、ポリ（１−デセン）、（このような物質はしばしば、α−オレフィンと呼ばれる）およびそれらの混合物；アルキル−ベンゼン（例えば、ドデシルベンゼン、テトラデシルベンゼン、ジノニルベンゼン、ジ−（２−エチルヘキシル）−ベンゼン）；ポリフェニル化合物（例えば、ビフェニル、ターフェニル、アルキル化ポリフェニル化合物）；ジフェニルアルカン、アルキル化ジフェニルアルカン、アルキル化ジフェニルエーテルおよびアルキル化ジフェニルスルフィドおよびそれらの誘導体、類似体および同族体またはそれらの混合物、を含むことができる。
【０１８８】
他の合成潤滑油は、リン含有酸のポリオールエステル、ジエステル、液体エステル（例えば、トリクレシル・ホスフェート、トリオクチル・ホスフェートおよび、デカンホスホン酸のジエチルエステル）、または重合体のテトラヒドロフランを含む。合成油は、Ｆｉｓｃｈｅｒ−Ｔｒｏｐｓｃｈ反応により生成することができ、典型的には、水素異性化（ｈｙｄｒｏｉｓｏｍｅｒｉｚｅｄ）されたＦｉｓｃｈｅｒ−Ｔｒｏｐｓｃｈ炭化水素またはワックスであることができる。一つの実施形態においては、油はＦｉｓｃｈｅｒ−Ｔｒｏｐｓｃｈの「ガスから液体」合成法により、並びに他の「ガスから液体」の油から調製されることができる。
【０１８９】
存在する潤滑粘度の油の量は、１種以上の粘度指数向上剤および／または１種以上の流動点降下剤および／または他の上質な（ｔｏｐ）処理添加剤を含む性能添加剤の量の合計を１００重量％から差し引いた後に残るバランスであることができる。例えば、完成流動体中に存在することができる潤滑粘度の油は、約５０重量％を超える、約６０重量％を超える、約７０重量％を超える、約８０重量％を超える、約８５重量％を超える、または約９０重量％を超えるような主要量であることができる。
【０１９０】
抗酸化剤
本開示における潤滑油組成物はまた、場合により、１種以上の抗酸化剤を含むことができる。抗酸化化合物は知られており、例えば、フェナート、フェナートスルフィド、硫化
オレフィン、リン硫化テルペン、硫化エステル、芳香族アミン、アルキル化ジフェニルアミン（例えば、ノニルジフェニルアミン、ジ−ノニルジフェニルアミン、オクチル・ジフェニルアミン、ジ−オクチル・ジフェニルアミン）、フェニル−アルファ−ナフチルアミン、アルキル化フェニル−アルファ−ナフチルアミン、ヒンダード非芳香族アミン、フェノール、ヒンダードフェノール、油溶性モリブデン化合物、高分子量抗酸化剤、またはそれらの混合物を含む。抗酸化剤は単独でまたは組み合わせて使用することができる。
【０１９１】
ヒンダードフェノール抗酸化剤は、立体障害基として第二級ブチルおよび／または第三級ブチル基を含むことができる。フェノール基は更に、ヒドロカルビル基および／または、第２の芳香族基に結合する架橋基で置換されることができる。適切なヒンダードフェノール抗酸化剤の例は、２，６−ジ−ｔｅｒｔ−ブチルフェノール、４−メチル−２，６−ジ−ｔｅｒｔ−ブチルフェノール、４−エチル−２，６−ジ−ｔｅｒｔ−ブチルフェノール、４−プロピル−２，６−ジ−ｔｅｒｔ−ブチルフェノールもしくは４−ブチル−２，６−ジ−ｔｅｒｔ−ブチルフェノール、または４−ドデシル−２，６−ジ−ｔｅｒｔ−ブチルフェノールを含む。一つの実施形態においては、ヒンダードフェノール抗酸化剤はエステルであることができ、そして例えば、２，６−ジ−ｔｅｒｔ−ブチルフェノールと、そのアルキル基が約１〜約１８個、または約２〜約１２個、または約２〜約８個、または約２〜約６個、または約４個の炭素原子を含むことができるアルキルアクリレート、とから誘導される付加生成物を含むことができる。
【０１９２】
有用な抗酸化剤は、ジアリールアミンと高分子量フェノールを含むことができる。一つの実施形態においては、潤滑油組成物は、各抗酸化剤が、潤滑油組成物の最終重量に基づき、約５重量％までの抗酸化剤を提供するのに十分な量で存在することができるように、ジアリールアミンと高分子量フェノールとの混合物を含むことができる。幾つかの実施形態においては、抗酸化剤は、潤滑油組成物の最終重量に基づき、約０．３〜約１．５重量％のジアリールアミンと約０．４〜約２．５重量％の高分子量フェノールとの混合物であることができる。
【０１９３】
硫化オレフィンを形成するために硫化されることができる適切なオレフィンの例は、プロピレン、ブチレン、イソブチレン、ポリイソブチレン、ペンテン、ヘキセン、ヘプテン、オクテン、ノネン、デセン、ウンデセン、ドデセン、トリデセン、テトラデセン、ペンタデセン、ヘキサデセン、ヘプタデセン、オクタデセン、ノナデセン、エイコセンまたはそれらの混合物を含む。一つの実施形態においては、ヘキサデセン、ヘプタデセン、オクタデセン、ノナデセン、エイコセンまたはそれらの混合物およびそれらの二量体、三量体および四量体が特に有用なオレフィン化合物である。あるいはまた、オレフィン化合物は、１，３−ブタジエンのようなジエンと、ブチルアクリレートのような不飽和エステルとのディールスアルダー付加物であることができる。
【０１９４】
硫化オレフィンの他のクラスは、硫化脂肪酸とそれらのエステルを含む。脂肪酸はしばしば、植物油または動物油から得られ、そして典型的には、約４〜約２２個の炭素原子を含む。適切な脂肪酸とそれらのエステルの例は、トリグリセリド、オレイン酸、リノール酸、パルミトレン酸またはそれらの混合物を含む。脂肪酸はしばしば、ラード油、トール油、落花生油、大豆油、綿実油、ヒマワリの種油またはそれらの混合物から得られる。脂肪酸および／またはエステルは、α−オレフィンのようなオレフィン類と混合することができる。
【０１９５】
１種以上の抗酸化剤は、潤滑組成物の約０重量％〜約２０重量％、または約０．１重量％〜約１０重量％、または約１重量％〜約５重量％の範囲内で含まれることができる。
【０１９６】
摩耗防止剤
本開示における潤滑油組成物はまた、場合により１種以上の更なる摩耗防止剤を含むことができる。適切な摩耗防止剤の例は、限定はされないが、金属チオホスフェート；金属ジアルキル・ジチオホスフェート；リン酸エステルまたはその塩；１種以上のホスフェートエステル；ホスファイト；リン含有カルボン酸エステル、エーテルまたはアミド；硫化オレフィン；チオカルバメートエステル、アルキレン結合チオカルバメートおよびビス（Ｓ−アルキルジチオカルバミル）ジスルフィドを含むチオカルバメート含有化合物；並びにそれらの混合物を含む。リン含有摩耗防止剤は、欧州特許第０６１２  ８３９号明細書に、より詳細に記載されている。ジアルキル・ジチオホスフェート塩中の金属は、アルカリ金属、アルカリ土類金属、アルミニウム、鉛、錫、モリブデン、マンガン、ニッケル、銅、チタンまたは亜鉛であることができる。有用な摩耗防止剤は亜鉛ジアルキル・ジチオホスフェートであることができる。
【０１９７】
摩耗防止剤は、潤滑組成物の総重量の約０重量％〜約１５重量％、または約０．０１重量％〜約１０重量％、または約０．０５重量％〜約５重量％、または約０．１重量％〜約３重量％の範囲内で含まれることができる。
【０１９８】
ホウ素含有化合物
本開示の潤滑油組成物は、場合により、１種以上のホウ素含有化合物を含むことができる。
【０１９９】
ホウ素含有化合物の例は、ホウ酸エステル、ホウ酸脂肪アミン、ホウ酸エポキシド、ホウ酸清浄剤および、米国特許第５，８８３，０５７号明細書に開示されたようなホウ酸化スクシンイミド分散剤のようなホウ酸分散剤を含む。
【０２００】
ホウ素含有化合物は、存在する場合は、潤滑組成物の総重量の約８重量％まで、約０．０１重量％〜約７重量％、約０．０５重量％〜約５重量％、または約０．１重量％〜約３重量％を提供するのに十分な量で使用することができる。
【０２０１】
清浄剤
潤滑剤組成物は場合により、１種以上の、中性、低塩基性化、または過塩基性化清浄剤およびそれらの混合物を含んでなることができる。適切な清浄剤の基質はフェナート、硫黄含有フェナート、スルホネート、カリキサレート、サリキサレート、サリチレート、カルボン酸、リン酸、モノ−および／またはジ−チオリン酸、アルキルフェノール、硫黄結合アルキルフェノール化合物およびメチレン架橋フェノールを含む。適切な清浄剤およびそれらの調製法は、米国特許第７，７３２，３９０号明細書およびその中に引用された参考文献を含む多数の特許刊行物中に詳細に記載されている。
【０２０２】
清浄剤の基質は、限定はされないが、カルシウム、マグネシウム、カリウム、ナトリウム、リチウム、バリウム、またはそれらの混合物のような、アルカリ金属もしくはアルカリ土類金属で塩化されることができる。幾つかの実施形態においては、清浄剤はバリウムを含まない。適切な清浄剤は、石油スルホン酸およびそのアリール基がベンジル、トリルおよびキシリルの一つである、長鎖モノ−もしくはジ−アルキルアリールスルホン酸のアルカリ金属もしくはアルカリ土類金属の塩を含むことができる。
【０２０３】
過塩基性化清浄剤添加剤は当該技術分野で周知であり、アルカリ金属もしくはアルカリ土類金属の過塩基性化清浄剤添加剤であることができる。このような清浄剤添加剤は、金属酸化物または金属水酸化物を、基質および二酸化炭素ガスと反応させることにより調製することができる。基質は典型的には、酸、例えば、脂肪族置換スルホン酸、脂肪族置換カルボン酸または脂肪族置換フェノールのような酸であることができる。
【０２０４】
用語「過塩基性化」は、そこに存在する金属の量が化学量論的量を超える、スルホネート、カルボキシレートおよびフェナートの金属塩のような金属塩に関する。このような塩は１００％を超える転化レベルをもつことができる（すなわち、それらは、酸を、その「正常な」、「中性の」塩に転化させるために要する金属の理論的量の１００％超を含んでなることができる。）しばしばＭＲと省略される表現「金属比（ｍｅｔａｌ  ｒａｔｉｏ）」は、知られた化学反応および化学量論に従う中性塩中の金属の化学当量に対する、過塩基性化塩中の金属の総化学当量の比率を表すために使用される。正常の、または中性の塩においては、金属比は１であり、過塩基性化塩中ではＭＲは１を超える。このような塩は一般に過塩基性化、超塩基性化またはスーパー塩基性化塩と呼ばれ、有機硫酸（ｓｕｌｆｕｒ  ａｃｉｄ）、カルボン酸またはフェノールの塩であることができる。
【０２０５】
過塩基性化清浄剤は１．１：１から、または２：１から、または４：１から、または５：１から、または７：１から、または１０：１からの金属比をもつことができる。
【０２０６】
幾つかの実施形態においては、清浄剤はエンジン内の錆を低減または防止するのに有効である。
【０２０７】
清浄剤は、潤滑剤組成物の総重量に基づいて、約０重量％〜約１０重量％、または約０．１重量％〜約８重量％、または約１重量％〜約４重量％、または約４重量％超〜約８重量％で含まれることができる。
【０２０８】
分散剤
潤滑剤組成物は場合により、更に、１種以上の分散剤またはそれらの混合物を含んでなることができる。分散剤は、潤滑油組成物中に混合する前に、それらが灰分形成金属を含まず、また潤滑剤に添加される時に通常、どんな灰分をももたらさないので、しばしば、無灰タイプの分散剤として知られる。無灰タイプの分散剤は、比較的高分子量の炭化水素鎖に結合された極性基を特徴としてもつ。典型的な無灰分散剤はＮ−置換長鎖アルケニルスクシンイミドを含む。Ｎ−置換長鎖アルケニルスクシンイミドの例は、約３５０〜約５０００、または約５００〜約３０００の範囲の数平均分子量のポリイソブチレン置換基をもつポリイソブチレン・スクシンイミドを含む。スクシンイミド分散剤およびそれらの調製は例えば、米国特許第７，８９７，６９６号および第４，２３４，４３５号明細書に開示されている。スクシンイミド分散剤は典型的にはポリアミン、典型的にはポリ（エチレンアミン）から形成されるイミドである。
【０２０９】
幾つかの実施形態においては、潤滑剤組成物は、約３５０〜約５０００、または約５００〜約３０００の範囲内の数平均分子量をもつポリイソブチレンから誘導される少なくとも１種のポリイソブチレン・スクシンイミド分散剤を含んでなる。ポリイソブチレン・スクシンイミドは単独で、または他の分散剤と組み合わせも使用することができる。
【０２１０】
幾つかの他の実施形態においては、ポリイソブチレン（ＰＩＢ）が含まれる時は、それは、５０モル％を超える、６０モル％を超える、約７０モル％を超える、約８０モル％を超える、または９０モル％を越える末端二重結合を含むことができる。このようなＰＩＢはまた、高反応性ＰＩＢ（ＨＲ−ＰＩＢ）とも呼ばれる。約８００〜約５０００の範囲の数平均分子量をもつＨＲ−ＰＩＢは本開示の実施形態における使用に適する。従来の、非高反応性のＰＩＢは典型的には、５０モル％未満、４０モル％未満、３０モル％未満、２０モル％未満、または１０モル％未満の末端二重結合を含有する。
【０２１１】
約９００〜約３０００の範囲内の数平均分子量をもつＨＲ−ＰＩＢは適切であることができる。このようなＨＲ−ＰＩＢは市販されているか、または米国特許第４，１５２，４９９号および第５，７３９，３５５号明細書に記載の通りに、ホウ素トリフルオリドのよ
うな非塩素化触媒の存在下におけるイソブテンの重合により合成することができる。前述の熱Ｅｎｅ反応に使用される時は、ＨＲ−ＰＩＢは、増加された反応性のために、より低い沈積形成量のみならずまた、反応の、より高い転化速度をもたらすことができる。
【０２１２】
実施形態においては、潤滑剤組成物はポリイソブチレン琥珀酸無水物から誘導される少なくとも１種の分散剤を含んでなる。
【０２１３】
一つの実施形態においては、分散剤はポリアルファオレフィン（ＰＡＯ）琥珀酸無水物から誘導することができる。
【０２１４】
一つの実施形態においては、分散剤はオレフィンマレイン酸無水物共重合体から誘導することができる。一例としては、分散剤はポリ−ＰＩＢＳＡと表すことができる。
【０２１５】
一つの実施形態においては、分散剤はエチレン−プロピレン共重合体にグラフト結合された無水物から誘導することができる。
【０２１６】
適切な分散剤の１クラスはマニッヒ塩基であることができる。マニッヒ塩基は、比較的高分子量の、アルキル置換フェノール、ポリアルキレン・ポリアミンおよび、ホルムアルデヒドのようなアルデヒド、の縮合により形成される物質である。マニッヒ塩基は米国特許第３，６３４，５１５号明細書に、より詳細に記載されている。
【０２１７】
適切なクラスの分散剤は、高分子エステルまたは半エステルアミドであることができる。
【０２１８】
分散剤はまた、あらゆる、様々な物質との反応による従来の方法により、後処理することができる。これらの物質にはホウ素、尿素、チオ尿素、ジメルカプトチアジアゾール、炭素ジスルフィド、アルデヒド、ケトン、カルボン酸、炭水化物置換琥珀酸無水物、マレイン酸無水物、ニトリル、エポキシド、カーボネート、環式カーボネート、ヒンダードフェノールエステル、およびリン化合物が含まれる。米国特許第７，６４５，７２６号、第７，２１４，６４９号および第８，０４８，８３１号明細書は、幾つかの適切な後処理法および後処理生成物につき記載している。
【０２１９】
分散剤は、存在する場合は、潤滑油組成物の最終重量に基づいて、約２０重量％までを提供するのに十分量で使用することができる。使用することができる分散剤の量は、潤滑油組成物の総重量に基づいて約０．１重量％〜約１５重量％、または約０．１重量％〜１０重量％、または約３重量％〜１０重量％、または約１重量％〜約６重量％、または約７重量％〜約１２重量％であることができる。一つの実施形態においては、潤滑油組成物は混合分散剤系を使用する。
【０２２０】
極圧剤（Ｅｘｔｒｅｍｅ  Ｐｒｅｓｓｕｒｅ  Ａｇｅｎｔｓ）
本開示の潤滑油組成物はまた、場合により、１種以上の極圧剤を含むことができる。油中に可溶性である極圧（ＥＰ）剤は、硫黄およびクロロ硫黄含有ＥＰ剤、塩素化炭化水素ＥＰ剤およびリンＥＰ剤を含む。このようなＥＰ剤の例は、塩素化ワックス；ジベンジル・ジスルフィド、ビス（クロロベンジル）ジスルフィド、ジブチル・テトラスルフィド、オレイン酸の硫化メチルエステル、硫化アルキルフェノール、硫化ジペンテン、硫化テルペンおよび硫化ディールスアルダー付加物のような有機スルフィドおよびポリスルフィド；ターペンタインまたはメチルオレエートとのリンスルフィドの反応生成物のような、リン硫化炭化水素；ジヒドロカルビル・ホスファイトとトリヒドロカルビル・ホスファイトのようなリンエステル、例えばジブチルホスファイト、ジヘプチルホスファイト、ジシクロヘキシルホスファイト、ペンチルフェニルホスファイト、ジペンチルフェニルホスファ
イト、トリデシルホスファイト、ジステアリルホスファイトおよびポリプロピレン置換フェニルホスファイト；亜鉛ジオクチル・ジチオカルバメートのような金属チオカルバメートおよびバリウムヘプチルフェノール二酸；例えば、ジアルキル・ジチオリン酸のプロピレン・オキシドとの反応生成物のアミン塩を含む、アルキルリン酸およびジアルキルリン酸のアミン塩；並びにそれらの混合物を含む。
【０２２１】
摩擦修正剤
本開示の潤滑油組成物はまた、場合により、１種以上の更なる摩擦修正剤を含むことができる。適切な摩擦修正剤は、金属含有および金属を含まない摩擦修正剤を含んでなることができ、そして限定はされないが、イミダゾリン、アミド、アミン、スクシンイミド、アルコキシル化アミン、アルコキシル化エーテルアミン、アミン酸化物、アミドアミン、ニトリル、ベタイン、第四級アミン、イミン、アミン塩、アミノグアニジン、アルカノールアミド、ホスホネート、金属含有化合物、グリセロールエステル、硫化脂肪化合物およびオレフィン、ヒマワリ油およびその他の天然に存在する植物または動物油、ジカルボン酸エステル、ポリオールと１種以上の脂肪族もしくは芳香族カルボン酸とのエステルもしくは部分エステル、等を含むことができる。
【０２２２】
適切な摩擦修正剤は、直鎖の、分枝鎖のまたは芳香族のヒドロカルビル基またはそれらの混合物から選択されるヒドロカルビル基を含むことができ、そして飽和でも不飽和でもよい。ヒドロカルビル基は、炭素および水素または、硫黄もしくは酸素のようなヘテロ原子、より成ることができる。ヒドロカルビル基は約１２〜約２５個の炭素原子の範囲をもつことができる。一つの実施形態においては、摩擦修正剤は、長鎖の脂肪酸エステルであることができる。一つの実施形態においては、長鎖の脂肪酸エステルは、モノエステルまたはジエステル、または（トリ）グリセリドであることができる。摩擦修正剤は、長鎖の脂肪アミド、長鎖の脂肪エステル、長鎖の脂肪エポキシド誘導体、または長鎖のイミダゾリンであることができる。
【０２２３】
他の適切な摩擦修正剤は、有機の、無灰の（金属を含まない）、窒素を含まない有機摩擦修正剤を含むことができる。このような摩擦修正剤は、カルボン酸と無水物を、アルカノールと反応させることにより形成されるエステルを含むことができ、そして一般に、親油性炭化水素鎖に共有結合された極性の末端基（例えば、カルボキシルまたはヒドロキシル）を含むことができる。有機の、無灰の、窒素を含まない摩擦修正剤の一例は、オレイン酸のモノ−、ジ−、およびトリ−エステルを含むことができる、一般にグリセロールモノオレエート（ＧＭＯ）として知られている。他の適切な摩擦修正剤は米国特許第６，７２３，６８５号明細書に記載されている。
【０２２４】
アミンの摩擦修正剤はアミンまたはポリアミンを含むことができる。このような化合物は、直線状の、飽和または不飽和のヒドロカルビル基、あるいはそれらの混合物をもつことができ、そして約１２〜約２５個の炭素原子を含むことができる。適切な摩擦修正剤の更なる例は、アルコキシル化アミンおよびアルコキシル化エーテルアミンを含む。このような化合物は、直線状の、飽和または不飽和のヒドロカルビル基、あるいはそれらの混合物をもつことができる。それらは約１２〜約２５個の炭素原子を含むことができる。例は、エトキシル化アミンおよびエトキシル化エーテルアミンを含む。
【０２２５】
アミンおよびアミドは、それら自体で、あるいは、硼酸酸化物、ハロゲン化ホウ素、メタボレート、硼酸またはモノ−、ジ−もしくはトリ−アルキルボレートのようなホウ素化合物との付加物または反応生成物の形態で使用されることができる。その他の適切な摩擦修正剤は米国特許第６，３００，２９１号明細書に記載されている。
【０２２６】
摩擦修正剤は、潤滑剤組成物の総重量に基づき約０重量％〜約１０重量％、または約０
．０１重量％〜約８重量％、または約０．１重量％〜約４重量％、の量で含まれることができる。
【０２２７】
モリブデン含有成分
本開示における潤滑油組成物はまた、１種以上のモリブデン含有化合物を含むことができる。油溶性モリブデン化合物は、摩耗防止剤、抗酸化剤、摩擦修正剤の機能的性能、またはこれらの機能のあらゆる組み合わせをもつことができる。油溶性モリブデン化合物は、モリブデン・ジチオカルバメート、モリブデン・ジアルキル・ジチオホスフェート、モリブデン・ジチオホスフィネート、モリブデン化合物のアミン塩、モリブデン・キサンテート、モリブデン・チオキサンテート、モリブデン・スルフィド、モリブデン・カルボキシレート、モリブデン・アルコキシド、三核有機モリブデン化合物および／またはそれらの混合物を含むことができる。モリブデン・スルフィドは、モリブデン・ジスルフィドを含む。モリブデン・ジスルフィドは、安定な分散物の形態にあることができる。一つの実施形態においては、油溶性のモリブデン化合物は、モリブデン・ジチオカルバメート、モリブデン・ジアルキル・ジチオホスフェート、モリブデン化合物のアミン塩、およびそれらの混合物よりなる群から選択することができる。一つの実施形態においては、油溶性モリブデン化合物はモリブデン・ジチオカルバメートであることができる。
【０２２８】
使用することができるモリブデン化合物の適切な例は、Ｒ．Ｔ．Ｖａｎｄｅｒｂｉｌｔ
Ｃｏ．，Ｌｔｄ．，からのＭｏｌｙｖａｎ  ８２２ＴＭ、ＭｏｌｙｖａｎＴＭ  Ａ、Ｍｏｌｙｖａｎ  ２０００ＴＭおよびＭｏｌｙｖａｎ  ８５５ＴＭ並びにＡｄｅｋａ  Ｃｏｒｐｏｒａｔｉｏｎから市販のＳａｋｕｒａ−ＬｕｂｅＴＭ  Ｓ−１６５、Ｓ−２００、Ｓ−３００、Ｓ−３１０Ｇ、Ｓ−５２５、Ｓ−６００、Ｓ−７００、およびＳ−７１０のような商品名で販売される商品、並びにそれらの混合物を含む。適切なモリブデン化合物は、米国特許第５，６５０．３８１号明細書および米国再発行特許第３７，３６３Ｅ１；第３８，９２９Ｅ１および第４０，５９５Ｅ１に記載されている。
【０２２９】
更に、モリブデン化合物は酸性モリブデン化合物であることができる。モリブデン酸、モリブデン酸アンモニウム、モリブデン酸ナトリウム、モリブデン酸カリウム、およびその他のアルカリ金属モリブテートおよび他のモリブデン酸塩、例えばモリブデン酸水素ナトリウム、ＭｏＯＣｌ４、ＭｏＯ２Ｂｒ２、Ｍｏ２Ｏ３Ｃｌ６、モリブデン・トリオキシドまたは同様な酸性モリブデン化合物が含まれる。あるいはまた、組成物は、例えば、米国特許第４，２６３，１５２号、第４，２８５，８２２号、第４，２８３，２９５号、第４，２７２，３８７号，第４，２６５，７７３号、第４，２６１，８４３号、第４，２５９，１９５号、および第４，２５９，１９４号明細書および国際公開出願第９４／０６８９７号パンフレット中に記載されたような塩基性窒素化合物のモリブデン／硫黄錯体によりモリブデンを提供されることができる。
【０２３０】
他のクラスの適切な有機モリブデン化合物は、式Ｍｏ３ＳｋＬｎＱｚのもののような三核モリブデン化合物およびそれらの混合物であり、ここでＳは硫黄を表し、Ｌは、化合物を油中に可溶性または分散可能にさせるのに十分な数の炭素原子を伴う有機基をもつ、独立して選択されるリガンドを表し、ｎは１〜４であり、ｋは４〜７に変動し、Ｑは水、アミン、アルコール、ホスフィン、およびエーテルのような中性の電子供与化合物の群から選択され、そしてｚは０〜５の範囲にあり、そして非化学量論的値を含む。すべてのリガンドの有機基中には、少なくとも２１個の、または少なくとも２５個の、少なくとも３０個の、または少なくとも３５個の総炭素原子が存在することができる。更なる適切なモリブデン化合物は米国特許第６，７２３，６８５号明細書中に記載されている。
【０２３１】
油溶性モリブデン化合物は、潤滑剤組成物中に約０．５ｐｐｍ〜約２０００ｐｐｍ、約１ｐｐｍ〜約７００ｐｐｍ、約１ｐｐｍ〜約５５０ｐｐｍ、約５ｐｐｍ〜約３００ｐｐｍ
、または約２０ｐｐｍ〜約２５０ｐｐｍのモリブデンを提供するのに十分な量で含まれることができる。
【０２３２】
粘度指数向上剤
本開示における潤滑油組成物はまた、場合により、１種以上の粘度指数向上剤を含むことができる。適切な粘度指数向上剤は、ポリオレフィン、オレフィン共重合体、エチレン／プロピレン共重合体、ポリイソブテン、水素化スチレン−イソプレン重合体、スチレン／マレイン酸エステル・共重合体、水素化スチレン／ブタジエン・共重合体、水素化イソプレン重合体、アルファ−オレフィン・マレイン酸無水物共重合体、ポリメタクリレート、ポリアクリレート、ポリアルキルスチレン、水素化アルケニルアリール共役ジエン共重合体、またはそれらの混合物を含むことができる。粘度指数向上剤は、星形高分子を含むことができ、また適切な例は米国公開第２０１２／０１０１０１７Ａ１に記載されている。
【０２３３】
本開示における潤滑油組成物はまた、場合により、１種の粘度指数向上剤に加えて、または１種の粘度指数向上剤の代りに、１種以上の分散剤の粘度指数向上剤を含むことができる。適切な分散剤の粘度指数向上剤は、官能化ポリオレフィン、例えば、アシル化剤（マレイン酸無水物のような）とアミンとの反応生成物で官能化されたエチレン−プロピレン共重合体；アミンで官能化されたポリメタクリレート、またはアミンと反応されたエステル化マレイン酸無水物−スチレン共重合体、を含むことができる。
【０２３４】
粘度指数向上剤および／または分散剤の粘度指数向上剤の総量は、潤滑組成物の総重量に基づいて約０重量％〜約２０重量％、約０．１重量％〜約１５重量％、約０．１重量％〜約１２重量％、または約０．５重量％〜約１０重量％であることができる。
【０２３５】
その他の、場合により使用される添加剤
潤滑液に必要な１種以上の機能を実施するために、その他の添加剤を選択することができる。更に、１種以上の前述の添加剤は、多機能性であり、本明細書に記載の機能に加えて、またはそれら以外の、他の機能を提供することができる。
【０２３６】
本開示に従う潤滑組成物は、場合により、他の性能添加剤を含んでなることができる。他の性能添加剤は、本開示の特定の添加剤に付け加えることができ、そして／または１種以上の、金属失活剤、粘度指数向上剤、清浄剤、無灰ＴＢＮ増強剤、摩擦修正剤、摩耗防止剤、腐食防止剤、錆防止剤、分散剤、分散剤の粘度指数向上剤、極圧剤、抗酸化剤、消泡剤、抗乳化剤、乳化剤、流動点降下剤、シール膨張剤、およびそれらの混合物を含んでなることができる。完全配合潤滑油は典型的には、１種以上のこれらの性能添加剤を含むであろう。
【０２３７】
適切な金属失活剤は、ベンゾトリアゾール（典型的にはトリルトリアゾール）の誘導体、ジメルカプト・チアジアゾール誘導体、１，２，４−トリアゾール、ベンズイミダゾール、２−アルキルジチオ・ベンズイミダゾール、または２−アルキルジチオ・ベンゾチアゾール；エチルアクリレートおよび２−エチルヘキシルアクリレートおよび場合によりビニルアセテートの共重合体を含む消泡剤；トリアルキルホスフェート、ポリエチレングリコール、ポリエチレン・オキシド、ポリプロピレン・オキシドおよび（エチレンオキシド−プロピレンオキシド）重合体を含む抗乳化剤；マレイン酸無水物−スチレンのエステル、ポリメタクリレート、ポリアクリレートまたはポリアクリルアミドを含む流動点降下剤、を含むことができる。
【０２３８】
適切な消泡剤は、シロキサンのようなケイ素基剤の化合物を含む。
【０２３９】
適切な流動点降下剤は、ポリメチルメタクリレートまたはそれらの混合物を含むことができる。流動点降下剤は、潤滑油組成物の総重量に基づいて、約０重量％〜約１重量％、約０．０１重量％〜約０．５重量％、または約０．０２重量％〜約０．０４重量％、を提供するのに十分な量で含まれることができる。
【０２４０】
適切な錆防止剤は、鉄類の表面の腐食を防止する特性をもつ、単一の化合物、または化合物の混合物であることができる。本開示で有用な錆防止剤の限定されない例は、２−エチルヘキサン酸、ラウリン酸、ミリスチン酸、パルミチン酸、オレイン酸、リノール酸、リノレン酸、ベヘン酸およびセロチン酸のような油溶性の高分子量の有機酸、並びに、トール油の脂肪酸、オレイン酸およびリノール酸から製造されるような二量体および三量体の酸を含む油溶性のポリカルボン酸を含む。その他の適切な腐食防止剤は、約６００〜約３０００の分子量範囲にある長鎖のアルファ、オメガ−ジカルボン酸および、テトラプロペニル琥珀酸、テトラデセニル琥珀酸およびヘキサデセニル琥珀酸のような、そのアルケニル基が約１０個以上の炭素原子を含むアルケニル琥珀酸、を含む。酸性の腐食防止剤の他の有用なタイプは、ポリグリコールのようなアルコールとの、アルケニル基中に約８〜２４個の炭素原子をもつアルケニル琥珀酸の半エステルである。このようなアルケニル琥珀酸の対応する半アミドもまた有用である。有用な錆防止剤は、高分子の有機酸である。幾つかの実施形態においては、潤滑組成物またはエンジンオイルは錆防止剤を含まない。
【０２４１】
錆防止剤は、潤滑油組成物の総重量に基づいて約０重量％〜約５重量％、約０．０１重量％〜約３重量％、約０．１重量％〜約２重量％を提供するのに十分な量で使用することができる。
【０２４２】
一般的に、適切なクランクケースの潤滑剤は以下の表に記載された範囲の、１種以上の添加剤成分を含むことができる。
【０２４３】
【表２】
2014122345.tif 000040
【０２４４】
前記の各成分の百分率は、最終潤滑油組成物の総重量に基づく各成分の総重量パーセントを表す。潤滑油組成物の残りまたはバランスは１種以上の基油よりなる。
【０２４５】
本明細書に記載の、組成物を配合する際に使用される添加剤は、個々に、または様々な準組み合わせ物中に、基油中にブレンドされることができる。しかし、添加剤濃厚物（すなわち、添加剤プラス、炭化水素溶媒のような希釈剤）を使用して、すべての１種以上の成分を同時にブレンドすることは適切かも知れない。
【実施例】
【０２４６】
以下の実施例は、本開示の方法および組成物を、限定せずに具体的に示す。本分野で通常遭遇され、そして当業者に明白な、様々な条件およびパラメーターの、その他の適切な修飾物および適合物は本開示の範囲内にある。
【０２４７】
本開示に従うエンジンオイルの実施例は、本開示の摩擦修正剤を使用して調製された。これらの実施例に使用された摩擦修正剤は以下の通りであった。
【実施例１】
【０２４８】
オレオイル・ブチルサルコシネート（ＢｕＯＳ）
頭上撹拌装置、ディーンスタークトラップおよび熱電対を備えた５００ｍＬ用樹脂ケトルに２８１ｇ（０．８モル）のオレオイルサルコシン、２３７ｇのブタノールおよび０．３８ｇのＡｍｂｅｒｌｙｓｔ  １５の酸性樹脂を充填した。３０分毎に２５ｍＬのアリコートを除去しながら、反応混合物を窒素下で撹拌しながら３時間還流下で加熱した。次に反応混合物を真空濃縮し、濾取すると、３１０ｇの生成物を与えた。
【実施例２】
【０２４９】
オレオイル・エチルサルコシネート（ＥｔＯＳ）
頭上撹拌装置、ディーンスタークトラップおよび熱電対を備えた５００ｍＬ用樹脂ケトルに２８１ｇ（０．８モル）のオレオイルサルコシンおよび２９５ｇのエタノールを充填した。３０分毎に２５ｍＬのアリコートを除去しながら、反応混合物を窒素下で撹拌しながら３時間還流下で加熱した。次に反応混合物を真空濃縮すると、２８０ｇの生成物を与えた。
【実施例３】
【０２５０】
ラウロイル・エチルサルコシネート（ＥｔＬＳ）
頭上撹拌装置、ディーンスタークトラップおよび熱電対を備えた５００ｍＬ用樹脂ケトルに１２８．５ｇ（０．５モル）のラウロイルサルコシンおよび３４５．５ｇのエタノールを充填した。３０分毎に２５ｍＬのアリコートを除去しながら、反応混合物を窒素下で撹拌しながら３時間還流下で加熱した。次に反応混合物を真空濃縮すると、１２６．２ｇの生成物を与えた。
【実施例４】
【０２５１】
ココイル・エチルサルコシネート（ＥｔＣＳ）
頭上撹拌装置、ディーンスタークトラップおよび熱電対を備えた５００ｍＬ用樹脂ケトルに２００ｇ（０．７１モル）のココイルサルコシンおよび３２９ｇのエタノールを充填した。３０分毎に２５ｍＬのアリコートを除去しながら、反応混合物を窒素下で撹拌しながら３時間還流下で加熱した。次に反応混合物を真空濃縮すると、２０１ｇの生成物を与えた。
【実施例５】
【０２５２】
オレオイル２−エチルヘキシル・サルコシネート
頭上撹拌装置、ディーンスタークトラップおよび熱電対を備えた５００ｍＬ用樹脂ケトルに１７５．６ｇ（０．５モル）のオレオイルサルコシンおよび６５．１ｇの２−エチル
ヘキサノールを充填した。反応混合物を窒素下で撹拌しながら３時間１５０℃で加熱した。次に反応混合物を真空濃縮すると、４２１．７ｇの生成物を与えた。
【実施例６】
【０２５３】
オレオイル２−メトキシエチル・サルコシネート（ＭｅＯＥｔ−ＯＳ）
頭上撹拌装置、ディーンスタークトラップおよび熱電対を備えた５００ｍＬ用樹脂ケトルに１４０．４ｇ（０．４モル）のオレオイルサルコシン、４８．１ｇのジエチレングリコール・メチルエーテルおよび１．０ｇのＡｍｂｅｒｌｙｓｔ  １５の酸性樹脂を充填した。反応混合物を窒素下で撹拌しながら３時間１６０℃に加熱した。次に反応混合物を真空濃縮し、１８１．３ｇのプロセスオイルで希釈し、濾取すると、２７３．５ｇの生成物を与えた。
【実施例７】
【０２５４】
オレオイル２−ヒドロキシエチル・サルコシネート（ＨＯＥｔ−ＯＳ）
頭上撹拌装置、ディーンスタークトラップおよび熱電対を備えた５００ｍＬ用樹脂ケトルに１７５．５ｇ（０．５モル）のオレオイルサルコシン、３２ｇのエチレングリコールおよび１．０ｇのＡｍｂｅｒｌｙｓｔ  １５の酸性樹脂を充填した。反応混合物を窒素下撹拌しながら３時間１６０℃で加熱した。次に反応混合物を真空濃縮し、１９８．５ｇのプロセスオイルで希釈し、濾取すると、３１２．７ｇの生成物を与えた。
【実施例８】
【０２５５】
ラウロイル２−ヒドロキシエチル・サルコシネート（ＨＯ−ＥｔＬＳ）
頭上撹拌装置、ディーンスタークトラップおよび熱電対を備えた５００ｍＬ用樹脂ケトルに１２８．５ｇ（０．５モル）のラウロイルサルコシン、３２ｇのエチレングリコールを充填した。反応混合物を窒素下で撹拌しながら３時間１６０℃で加熱した。次に反応混合物を真空濃縮し、１５１．５ｇのプロセスオイルで希釈すると、２７７．５ｇの生成物を与えた。
【実施例９】
【０２５６】
Ｎ−オレオイル−Ｎ’−２−エチルヘキシル・サルコシンアミド
頭上撹拌装置、ディーンスタークトラップおよび熱電対を備えた５００ｍＬ用樹脂ケトルに１０７ｇ（０．３１モル）のオレオイルサルコシンおよび３９．４ｇの２−エチル−１−ヘキシルアミンを充填した。反応混合物を窒素下で撹拌しながら３時間１３０℃で加熱した。次に反応混合物を真空濃縮すると、２６６．６ｇの生成物を与えた。
【実施例１０】
【０２５７】
Ｎ−オレオイル−Ｎ’−２メトキシエチル・サルコシンアミド
頭上撹拌装置、ディーンスタークトラップおよび熱電対を備えた５００ｍＬ用樹脂ケトルに１４０．４ｇ（０．４モル）のオレオイルサルコシン、３０ｇのメトキシエチルアミンおよび１．０ｇのＡｍｂｅｒｌｙｓｔ  １５の酸性樹脂を充填した。反応混合物を窒素下で撹拌しながら３時間１５０℃で加熱した。次に反応混合物を真空濃縮し、１６３．２ｇのプロセスオイルで希釈し、濾取すると、２６３．９ｇの生成物を与えた。
【実施例１１】
【０２５８】
Ｎ−オレオイル−Ｎ’−３ジメチルアミノプロピル・サルコシンアミド
頭上撹拌装置、ディーンスタークトラップおよび熱電対を備えた５００ｍＬ用樹脂ケトルに１７５．５ｇ（０．５モル）のオレオイルサルコシン、５１．１ｇの３−ジメチルアミノプロピルアミンおよび１．０ｇのＡｍｂｅｒｌｙｓｔ  １５の酸性樹脂を充填した。反応混合物を窒素下で撹拌しながら３時間１５０℃で加熱した。次に反応混合物を真空濃縮し、２１７．６ｇのプロセスオイルで希釈し、濾取すると、３７７．８ｇの生成物を与
えた。
【実施例１２】
【０２５９】
Ｎ−オレオイル−Ｎ’，Ｎ’ビス（２−ヒドロキシエチル）サルコシンアミド
頭上撹拌装置、ディーンスタークトラップおよび熱電対を備えた５００ｍＬ用樹脂ケトルに１７５．５ｇ（０．５モル）のオレオイルサルコシン、５２．６ｇのジエタノールアミンおよび１．０ｇのＡｍｂｅｒｌｙｓｔ  １５の酸性樹脂を充填した。反応混合物を窒素下で撹拌しながら３時間１５０℃で加熱した。次に反応混合物を真空濃縮し、２１９ｇのプロセスオイルで希釈し、濾取すると、３７１．６ｇの生成物を与えた。
【実施例１３】
【０２６０】
Ｃｈａｔｔｅｍ  Ｃｈｅｍｉｃａｌｓから市販のＨＡＭＰＯＳＹＬ（登録商標）  Ｌ−９５のようなラウロイル・サルコシンナトリウム
【実施例１４】
【０２６１】
Ｃｒｏｄａ  Ｉｎｃ．から市販のＣＲＯＤＡＳＩＮＩＣＴＭ  Ｃのようなココイル・サルコシン
【実施例１５】
【０２６２】
Ｃｒｏｄａ  Ｉｎｃ．から市販のＣＲＯＤＡＳＩＮＩＣＴＭ  Ｌのようなラウロイル・サルコシン
【実施例１６】
【０２６３】
Ｃｒｏｄａ  Ｉｎｃ．から市販のＣＲＯＤＡＳＩＮＩＣＴＭ  Ｏ、またはＣｈａｔｔｅｍ
Ｃｈｅｍｉｃａｌｓから市販のＨＡＭＰＯＳＹＬ（登録商標）  Ｏのようなオレオイルサルコシン
【実施例１７】
【０２６４】
Ｃｒｏｄａ  Ｉｎｃ．から市販のＣＲＯＤＡＳＩＮＩＣＴＭ  ＳＭのようなステアロイル・サルコシンとミリストイル・サルコシン混合物
【０２６５】
【表３】
2014122345.tif 000041
【０２６６】
エンジン潤滑剤は「高周波数往復リグ（ＨＦＲＲ）」試験および薄膜摩擦（ＴＦＦ）試験にかけられた。境界潤滑体制の摩擦係数を測定するために、ＰＣＳ  ＩｎｓｔｒｕｍｅｎｔｓからのＨＦＲＲが使用された。摩擦係数はＳＡＥ  ５２１００金属のボールとＳＡＥ  ５２１００金属のディスク間で、１３０℃で測定された。ボールを、４．０Ｎの加荷重を使用して１ｍｍの経路上を２０Ｈｚの周波数でディスクを横切って往復させた。潤滑剤の、境界層の摩擦を減少させる能力は、測定された境界潤滑体制の摩擦係数により反映される。より低い値がより低い摩擦を示す。
【０２６７】
ＴＦＦ試験は、ＰＣＳ  ＩｎｓｔｒｕｍｅｎｔｓからのＭｉｎｉ−Ｔｒａｃｔｉｏｎ  Ｍａｃｈｉｎｅ（小型牽引機）（ＭＴＭ）を使用して、薄膜潤滑体制の牽引係数を測定する。これらの牽引係数は、油が５００ｍｍ／ｓの巻き込み速度で接触区域中を索引されている時の、ＡＮＳＩ  ５２１００鋼のディスクとＡＮＳＩ  ５２１００鋼のボール間に５０Ｎの加荷重を使用して１３０℃で測定された。測定期間中、ボールとディスク間に２０％のスライド対ロール比率が維持された。薄膜摩擦を低減する潤滑剤の能力は、測定された薄膜潤滑体制の牽引係数により反映される。より低い値がより低い摩擦を示す。
【０２６８】
前記の表３の１種以上の摩擦修正剤を含む配合物に対するＨＦＲＲおよびＴＦＦ試験の結果は表４〜７に示される。実施例に使用された摩擦修正剤のブレンドは別記されない限り、５０／５０重量％ブレンドであった。表４のデータは、表中に記載の有効摩擦修正剤０．５重量％の処理速度で作成され、混合物の場合は、混合物の処理速度は有効摩擦修正剤の総混合物の０．５重量％であった。
【０２６９】
表４のブレンド中に使用された基礎潤滑組成物は、組成物に約８００ｐｐｍのリンを送達する基油およびすべての第一（ｐｒｉｍａｒｙ）亜鉛ジアルキル・ジチオホスフェートのみを含んだ。比較ブレンドＡはどんな添加摩擦修正剤（ＦＭ）をも伴わずに、この同一の基礎潤滑組成物のみを含んだ。
【０２７０】
本開示の少なくとも１種の摩擦修正剤を含む２種以上の摩擦修正剤を伴う潤滑剤の試験
結果は表４に与えられる。結果は、２種以上の摩擦修正剤を含む油潤滑剤が、境界層の摩擦を有効に低下そして／または適合させるために使用されることができることを示す。
【０２７１】
【表４】
2014122345.tif 000042
【０２７２】
表５のブレンド中に使用された基礎潤滑組成物は、摩擦修正剤を含まずに配合されたＳＡＥ  ５Ｗ−２０  ＧＦ−５品質の油であった。比較ブレンドＡは、どんな添加摩擦修正剤（ＦＭ）を伴わずにこの同一の基礎潤滑組成物のみを含んだ。表５のデータは表中に記載された０．５重量％の有効摩擦修正剤の処理速度で作成された。
【０２７３】
【表５】
2014122345.tif 000043
【０２７４】
表６〜７のブレンド中に使用された基礎潤滑組成物は摩擦修正剤を使用せずに配合されたＳＡＥ  ５Ｗ−２０  ＧＦ−５品質の油であった。
【０２７５】
【表６】
2014122345.tif 000044
【０２７６】
これらの実施例のＨＦＲＲおよびＴＦＦデータは、本開示に従う摩擦修正剤の混合物が摩擦修正剤なしより有効であったことを示している。表６のブレンドは、少なくとも０．０５〜１．０重量％の量の範囲の、成分の５０／５０ブレンドにおいて使用される時に，ＨＦＲＲとＴＦＦの少なくとも一方を低下させるのに有効であったことが示された。更に、表６のブレンドは少なくとも０．０５〜１．０重量％の量の範囲の、成分の５０／５０ブレンドにおいて使用される時に、ＴＦＦを低下させるのに有効であったことが示された。
【０２７７】
【表７】
2014122345.tif 000045
【０２７８】
表７のブレンドは、少なくとも、２種の摩擦修正剤のブレンドとして、４：１〜１：４の量の範囲で使用される時に有効であることが示された。これらの実施例のＨＦＲＲおよびＴＦＦのデータは、本開示に従う摩擦修正剤の混合物が摩擦修正剤を使用しない時よりも有効であったことを示す。表７のブレンドは、２種の摩擦修正剤のブレンドとして４：１〜１：４の量の範囲においてＨＦＲＲおよびＴＦＦ双方を低下させるのに有効であることが示された。
【０２７９】
表４〜７から、本開示の各化合物が摩擦修正剤として有効に働くことが明白である。境界層の摩擦（ＨＦＲＲ）の摩擦係数は、摩擦修正剤を使用しない油に比較すると、本開示に従う油が使用される時に、有意に低い。薄膜の摩擦（ＴＦＦ）の摩擦係数も一般的に、摩擦修正剤を使用しない潤滑剤に比較すると、本開示の油が使用される時に、有意に低い。これらの試験から、本開示に従う油は、境界層摩擦および薄膜摩擦の両方を有効に低下させることが明白である。
【０２８０】
本開示の他の実施形態は、本明細書に開示された明細の考慮および実施形態の実施から
、当業者に明白であろう。明細および実施例は説明的のみであると考えられ、本開示の真の範囲は以下の請求の範囲により記述されることが意図される。
【０２８１】
前述の実施形態は、実施において著しいばらつきを受け易い。従って、その実施形態は本明細書に示された特定の例示に限定されることは意図されない。むしろ、前述の実施形態は、法律問題として利用可能なそれらの同等物を含む、付記の請求項の精神および範囲内にある。
【０２８２】
本明細書に言及されるすべての文献は、それらの全体を、あるいはまた、それらが特別に頼りにされる開示物を提供するために参照することにより、本明細書に引用されたこととされる。
【０２８３】
出願者等は、あらゆる開示された実施形態を公衆に献呈することを意図せず、そして、あらゆる開示された修正または変更は、それらが、請求項の範囲内に文字通りには入らない程度まで、同等物の原則下で、請求の範囲の一部であると考えられる。
【外国語明細書】
2014122345000001.pdf